(57)【要約】  本発明は、ユーザ個々人に合わせたカスタマイズ化粧品を提供するためのものであって、本発明の実施例によるカスタマイズ化粧品提供システムは、肌状態を診断し、肌状態の診断結果に基づいてカスタマイズ化粧品を推奨し、推奨したカスタマイズ化粧品に関する情報を製造装置に伝送する診断装置、診断装置からカスタマイズ化粧品に関する情報を受信し、受信されたカスタマイズ化粧品に関する情報に基づいてカスタマイズ化粧品を提供する製造装置を含むことができる。
2020500611.tif 000002
【特許請求の範囲】
【請求項１】
カスタマイズ化粧品提供システムにおいて、
肌状態を診断し、前記肌状態の診断結果に基づいてカスタマイズ化粧品を推奨し、前記推奨したカスタマイズ化粧品に関する情報を製造装置に伝送する診断装置；及び
前記診断装置から前記カスタマイズ化粧品に関する情報を受信し、前記受信されたカスタマイズ化粧品に関する情報に基づいて前記カスタマイズ化粧品を提供する製造装置を含む、
カスタマイズ化粧品提供システム。
【請求項２】
前記カスタマイズ化粧品は、少なくとも一つ以上の化粧品材料が所定の配合比で製作される化粧品及び既に製作された常用化粧品を含む、請求項１に記載のカスタマイズ化粧品提供システム。
【請求項３】
前記推奨したカスタマイズ化粧品が前記少なくとも一つ以上の化粧品材料が所定の配合比で製作される化粧品の場合、前記カスタマイズ化粧品に関する情報は化粧品材料の成分と配合比を含み、前記製造装置は、前記カスタマイズ化粧品に関する情報に含まれた化粧品材料の成分と配合比に基づいて前記カスタマイズ化粧品を製造する、請求項２に記載のカスタマイズ化粧品提供システム。
【請求項４】
前記診断装置は、肌状態を診断することができる移動端末機及び化粧品販売所に具備された肌状態の診断装置を含む、請求項１に記載のカスタマイズ化粧品提供システム。
【請求項５】
前記診断装置が前記移動端末機である場合、前記カスタマイズ化粧品は、前記移動端末機の現在位置から最も隣接した位置にある化粧品販売所で提供される、請求項４に記載のカスタマイズ化粧品提供システム。
【請求項６】
前記診断装置が前記移動端末機である場合、前記診断装置は、位置を入力する入力信号を受信し、前記カスタマイズ化粧品は、前記入力信号によって入力された位置から最も隣接した位置にある化粧品販売所で提供される、請求項４に記載のカスタマイズ化粧品提供システム。
【請求項７】
前記診断装置は、化粧品の受領場所の変更命令を受信し、前記カスタマイズ化粧品は、前記命令に従って変更された化粧品の受領場所で提供される、請求項５及び請求項６のいずれか一項に記載のカスタマイズ化粧品提供システム。
【請求項８】
前記診断装置が前記移動端末機である場合、前記診断装置は、配送住所を入力する入力信号を受信し、前記カスタマイズ化粧品は、前記入力信号によって入力された配送住所で提供される、請求項４に記載のカスタマイズ化粧品提供システム。
【請求項９】
前記診断装置が前記化粧品販売所に具備された肌状態の診断装置の場合、前記カスタマイズ化粧品は、前記肌状態を診断した化粧品販売所で提供される、請求項４に記載のカスタマイズ化粧品提供システム。
【請求項１０】
前記診断装置は、前記推奨したカスタマイズ化粧品に対応するユーザの購買意思を判断し、前記カスタマイズ化粧品に対応するユーザの購買意思があると判断されると、前記カスタマイズ化粧品に関する情報を前記製造装置に伝送する、請求項１に記載のカスタマイズ化粧品提供システム。
【請求項１１】
前記診断装置は、前記推奨したカスタマイズ化粧品の一部または全部を変更する修正信号を受信する、請求項１に記載のカスタマイズ化粧品提供システム。
【請求項１２】
カスタマイズ化粧品を提供するための診断装置において、
肌状態を測定する測定部；
前記測定された肌状態を診断する分析部；
前記肌状態の診断結果に基づいてカスタマイズ化粧品を推奨する制御部及び
前記推奨したカスタマイズ化粧品に関する情報を製造装置に伝送する通信部を含む、
診断装置。
【請求項１３】
前記肌状態は、肌の色相、肌内の水分量、肌内の油分量、弾力度、しわ、色素沈着可否、毛穴量、角質、肌のきめ、敏感度、肌タイプ、トラブルの少なくとも一つ以上を含む、請求項１２に記載の診断装置。
【請求項１４】
前記肌状態と関連した質問内容を表示する表示部；及び
前記表示された質問内容に対応する応答信号を受信する入力部をさらに含み、
前記分析部は、前記質問内容及び前記応答信号に基づいて前記肌状態を診断する、請求項１２に記載の診断装置。
【請求項１５】
前記分析部は、前記質問内容及び前記応答信号と前記測定された肌状態を共に考慮して前記肌状態を分析する、請求項１４に記載の診断装置。
【請求項１６】
前記表示部は、前記肌状態の診断結果をさらに表示する、請求項１４に記載の診断装置。
【請求項１７】
前記制御部は、前記推奨するカスタマイズ化粧品に対応するユーザの購買意思を判断し、前記カスタマイズ化粧品に対応するユーザの購買意思があると判断されると、前記カスタマイズ化粧品に関する情報を前記製造装置に伝送する、請求項１２に記載の診断装置。
【請求項１８】
カスタマイズ化粧品を提供するための肌管理サーバーにおいて、
第１肌状態の診断結果及び前記第１肌状態の診断結果に対応する第１カスタマイズ化粧品に関する情報を受信する通信部；
前記第１肌状態の診断結果と前記第１カスタマイズ化粧品に関する情報をマッピングして保存する保存部；及び
第２肌状態の診断結果を受信すると、前記保存された第１肌状態の診断結果と前記第１カスタマイズ化粧品に関する情報に基づいて第２カスタマイズ化粧品に関する情報を獲得する制御部を含む、
肌管理サーバー。
【請求項１９】
前記通信部は、前記第２カスタマイズ化粧品に関する情報を製造装置に伝送する、請求項１８に記載の肌管理サーバー。
【請求項２０】
カスタマイズ化粧品を提供するための製造装置において、
化粧品材料を収容する少なくとも一つ以上のカートリッジ；
前記カートリッジを収容するカートリッジ支持台；
前記カートリッジ支持台の一側に装着されて、圧縮部材を移動させるモーター；
前記モーターによって移動し、前記カートリッジ内部に挿入されると、前記カートリッジ内部に収容された前記化粧品を排出させる圧縮部材を含む、
製造装置。
【請求項２１】
前記カートリッジ支持台または本体支持台は、時計方向または反時計方向に回転する、請求項２０に記載の製造装置。
【請求項２２】
前記カートリッジは、前記圧縮部材の圧力を加える面が形成されたカートリッジ蓋と；
前記カートリッジ蓋に圧力が加わることによって前記カートリッジ内部に収容された化粧品が排出される材料注入孔を含む、請求項２０に記載の製造装置。
【請求項２３】
前記排出される化粧品を収容する化粧品容器の重さを測定するセンサーをさらに含む、請求項２０に記載の製造装置。
【請求項２４】
移動端末機で実行されるカスタマイズ化粧品の提供アプリケーションにおいて、
肌状態を診断する機能；
前記肌状態の診断結果に基づいてカスタマイズ化粧品を推奨する機能；及び
前記推奨するカスタマイズ化粧品に関する情報を製造装置に伝送する機能を実行させる、
カスタマイズ化粧品の提供アプリケーション。
【請求項２５】
前記カスタマイズ化粧品に関する情報を修正する機能をさらに含む、請求項２４に記載のカスタマイズ化粧品の提供アプリケーション。
【請求項２６】
前記カスタマイズ化粧品の情報を保存する機能をさらに含む、請求項２４に記載のカスタマイズ化粧品の提供アプリケーション。
【請求項２７】
前記カスタマイズ化粧品に対応するユーザの購買意思を判断する機能をさらに含む、請求項２４に記載のカスタマイズ化粧品の提供アプリケーション。
【発明の詳細な説明】
【技術分野】
【０００１】
本発明は、カスタマイズ化粧品提供システム及びその動作方法に関し、より詳しくは、ユーザの肌状態を診断して、ユーザの肌状態に適したカスタマイズ化粧品を提供するカスタマイズ化粧品提供システム及びその動作方法に関する。
【背景技術】
【０００２】
最近ビューティー産業の発展によって化粧品種類が非常に多様になった。具体的に、肌タイプによって乾性肌用、中性肌用及び脂性肌用などの化粧品があり、肌の色相によってベージュ色、ピンクベージュ色などの化粧品があり、機能によって美白用、しわ改善用及び紫外線遮断用などの化粧品が多様に存在している。
【０００３】
しかし、ユーザごとに互いに異なる肌特性または肌悩みなどを持っているため、多様な化粧品の提供だけではすべてのユーザの要求に合わせるには限界がある。すなわち、ユーザごとに各ユーザの肌状態によって必要とする化粧品材料の成分と含量が異なることがあるので、すべてのユーザのニーズを満たす化粧品を提供することに困難がある。
【発明の概要】
【発明が解決しようとする課題】
【０００４】
本発明は、ユーザの肌状態を診断して、ユーザ個々人の肌状態に適したカスタマイズ化粧品を提供するカスタマイズ化粧品提供システムを提供することを目的とする。
【０００５】
本発明は、ユーザの肌状態を診断する診断装置を提供することを目的とする。
【０００６】
本発明は、ユーザの肌状態を診断した結果に基づいてカスタマイズ化粧品を推奨する肌管理サーバーを提供することを目的とする。
【０００７】
本発明は、化粧品材料の成分と含量または配合比に基づいてカスタマイズ化粧品を製造する製造装置を提供することを目的とする。
【課題を解決するための手段】
【０００８】
本発明の実施例によるカスタマイズ化粧品提供システムは、肌状態を診断し、肌状態の診断結果に基づいてカスタマイズ化粧品を推奨し、推奨したカスタマイズ化粧品に関する情報を製造装置に伝送する診断装置、診断装置からカスタマイズ化粧品に関する情報を受信し、受信されたカスタマイズ化粧品に関する情報に基づいてカスタマイズ化粧品を提供する製造装置を含むことができる。
【０００９】
カスタマイズ化粧品は、少なくとも一つ以上の化粧品材料が所定の配合比で製作される化粧品及び既に製作された常用化粧品を含むことができる。
【００１０】
製造装置は、推奨したカスタマイズ化粧品が少なくとも一つ以上の化粧品材料が所定の配合比で製作される化粧品の場合、受信された化粧品材料の成分と配合比に基づいてカスタマイズ化粧品を製造することができる。
【００１１】
診断装置は、肌状態を診断することができる移動端末機及び化粧品販売所に具備された肌状態の診断装置を含むことができる。
【００１２】
診断装置が移動端末機である場合、カスタマイズ化粧品は、移動端末機の現在位置から最も隣接した位置にある化粧品販売所で提供され得る。
【００１３】
診断装置が移動端末機である場合、診断装置は、位置を入力する入力信号を受信し、カスタマイズ化粧品は、入力信号によって入力された位置から最も隣接した位置にある化粧品販売所で提供され得る。
【００１４】
診断装置が移動端末機である場合、診断装置は、配送住所を入力する入力信号を受信し、カスタマイズ化粧品は、入力信号によって入力された配送住所で提供され得る。
【００１５】
診断装置が化粧品販売所に具備された肌状態の診断装置である場合、カスタマイズ化粧品は、肌状態を診断した化粧品販売所で提供され得る。
【００１６】
診断装置は、推奨したカスタマイズ化粧品に対応するユーザの購買意思を判断し、カスタマイズ化粧品に対応するユーザの購買意思があると判断されると、カスタマイズ化粧品に関する情報を製造装置に伝送することができる。
【００１７】
診断装置は、推奨したカスタマイズ化粧品の一部または全部を変更する修正信号を受信することができる。
【００１８】
本発明の実施例によるカスタマイズ化粧品を提供するための診断装置において、肌状態を測定する測定部、測定された肌状態を診断する分析部、肌状態の診断結果に基づいてカスタマイズ化粧品を推奨する制御部及び前記推奨したカスタマイズ化粧品に関する情報を製造装置に伝送する通信部を含むことができる。
【００１９】
肌状態は、肌の色相、肌内の水分量、肌内の油分量、弾力度、しわ、色素沈着可否、毛穴量、角質、肌のきめ、敏感度、肌タイプ、トラブルの少なくとも一つ以上を含むことができる。
【００２０】
肌状態と関連した質問内容を表示する表示部及び表示された質問内容に対応する応答信号を受信する入力部をさらに含み、分析部は、質問内容及び応答信号に基づいて肌状態を診断することができる。
【００２１】
分析部は、質問内容及び応答信号と測定された肌状態をそれぞれまたは共に考慮して肌状態を分析することができる。
【００２２】
表示部は、肌状態の診断結果をさらに表示することができる。
【００２３】
制御部は、推奨するカスタマイズ化粧品に対応するユーザの購買意思を判断し、カスタマイズ化粧品に対応するユーザの購買意思があると判断されると、カスタマイズ化粧品に関する情報を製造装置に伝送することができる。
【００２４】
本発明の実施例によるカスタマイズ化粧品を提供するための肌管理サーバーにおいて、第１肌状態の診断結果及び第１肌状態の診断結果に対応する第１カスタマイズ化粧品に関する情報を受信する通信部、第１肌状態の診断結果と第１カスタマイズ化粧品に関する情報をマッピングして保存する保存部及び第２肌状態の診断結果を受信すると、保存された第１肌状態の診断結果と第１カスタマイズ化粧品に関する情報に基づいて第２カスタマイズ化粧品に関する情報を獲得する制御部を含むことができる。
【００２５】
通信部は、第２カスタマイズ化粧品に関する情報を製造装置に伝送することができる。
【００２６】
本発明の実施例によるカスタマイズ化粧品を提供するための製造装置において、化粧品材料を収容する少なくとも一つ以上のカートリッジ、カートリッジを収容するカートリッジ支持台、カートリッジ支持台の一側に装着されて圧縮部材を移動させるモーター、モーターによって移動し、カートリッジ内部に挿入されると、カートリッジ内部に収容された前記化粧品を排出させる圧縮部材及び排出される化粧品材料を収容する化粧品容器を含むことができる。
【００２７】
カートリッジ支持台は、時計方向または反時計方向に回転することができる。
【００２８】
カートリッジは、圧縮部材が圧力を加える面が形成されたカートリッジ蓋と、カートリッジ蓋に圧力が加わることによってカートリッジ内部に収容された化粧品材料が排出される材料注入孔を含むことができる。
【００２９】
製造装置は、化粧品容器の重さを測定するセンサーをさらに含むことができる。
【００３０】
本発明の実施例による移動端末機で実行されるカスタマイズ化粧品の提供アプリケーションにおいて、肌状態を診断する機能、肌状態の診断結果に基づいてカスタマイズ化粧品を推奨する機能、推奨するカスタマイズ化粧品に関する情報を製造装置に伝送する機能を実行させることができる。
【００３１】
カスタマイズ化粧品の提供アプリケーションは、カスタマイズ化粧品に関する情報を修正する機能をさらに含むことができる。
【００３２】
カスタマイズ化粧品の提供アプリケーションは、カスタマイズ化粧品の情報を保存する機能をさらに含むことができる。
【００３３】
カスタマイズ化粧品の提供アプリケーションは、カスタマイズ化粧品に対応するユーザの購買意思を判断する機能をさらに含むことができる。
【発明の効果】
【００３４】
本発明の多様な実施例によると、ユーザ個々人の肌状態に適切なカスタマイズ化粧品を提供して、化粧品を使用するユーザの悩みを效率的に解決し、化粧品に対する満足感と信頼度を高めることができるという利点がある。
【００３５】
本発明の多様な実施例によると、ユーザが化粧品販売所を訪問しなくても容易にカスタマイズ化粧品を提供され得るという利点がある。
【図面の簡単な説明】
【００３６】
【図１】本発明の実施例によるカスタマイズ化粧品提供システムを示す図である。
【図２】本発明の実施例によるカスタマイズ化粧品提供システムを概略的に示すフローチャートである。
【図３】本発明の実施例による診断装置を説明するためのブロック図である。
【図４】本発明の実施例による肌管理サーバーを説明するためのブロック図である。
【図５】本発明の一実施例による化粧品製造データベースを説明するための例示図である。
【図６】本発明の実施例によるカスタマイズ化粧品の購買意思を確認するステップで表示する画面の例示図である。
【図７】本発明の実施例によるカスタマイズ化粧品の修正画面の例示図である。
【図８】本発明の実施例によるカスタマイズ化粧品のビッグデータを構築するステップで表示する例示画面である。
【図９】本発明の実施例によるメイクアップの推薦ステップで表示する画面の例示図である。
【図１０】本発明の実施例によるカートリッジ交替型化粧品製造装置を説明するための図である。
【図１１】本発明の実施例によるカートリッジ交替型化粧品製造装置を説明するための図である。
【図１２】本発明の実施例によるノズル型化粧品混合装置を説明するための図である。
【図１３】本発明の実施例によるカスタマイズ化粧品提供システムでカスタマイズ化粧品を伝達する方法を説明するためのフローチャートである。
【図１４】本発明の実施例による化粧品販売所をの訪問意思を判断するための例示画面である。
【図１５】本発明の実施例によるカスタマイズ化粧品を配送する方法を説明するための例示画面である。
【発明を実施するための形態】
【００３７】
以下、添付された図面を参照して本明細書に開示された実施例を詳しく説明するが、 図面符号に関係なく同一または類似の構成要素は同一の参照符号を付与し、これに対する重複説明は省略することにする。以下の説明で使用される構成要素に対する接尾辞「モジュール」および「部」は明細書作成の容易さだけが考慮されて付与されたり混用されるものであって、それ自体で互いに区別される意味または役割を有するものではない。また、本明細書に開示された実施例を説明するにおいて、関連した公知技術に対する具体的な説明が、本明細書に開示された実施例の要旨を曖昧にし得ると判断される場合にはその詳細な説明を省略する。また、添付された図面は本明細書に開示された実施例を易しく理解するようにするためのものに過ぎず、添付された図面によって本明細書に開示された技術的思想が制限されず、本発明の思想および技術範囲に含まれるすべての変更、均等物ないし代替物を含むものと理解されるべきである。
【００３８】
第２、第１などのように序数を含む用語は多様な構成要素を説明するために使用され得るが、前記構成要素は前記用語によって限定されない。前記用語は一つの構成要素を他の構成要素から区別する目的だけで使用される。
【００３９】
ある構成要素が他の構成要素に「連結されて」いるとか「接続されて」いると言及された際には、その他の構成要素に直接的に連結されているか、または接続されていることもあるが、中間に他の構成要素が存在することもあると理解されるべきである。一方、ある構成要素が他の構成要素に「直接連結されて」いるとか「直接接続されて」いると言及された際には、中間に他の構成要素が存在しないことと理解されるべきである。
【００４０】
単数の表現は文脈上明白に異なるように意味しない限り、複数の表現を含む。
【００４１】
本出願において、「含む」または「有する」などの用語は明細書上に記載された特徴、数字、段階、動作、構成要素、部品またはこれらを組み合わせたものが存在することを指定しようとすることであって、一つまたはその以上の他の特徴や数字、段階、動作、構成要素、部品またはこれらを組み合わせたものなどの存在または付加可能性を予め排除しないことと理解されるべきである。
【００４２】
以下、図１ないし図１５を参照して本発明の実施例によるカスタマイズ化粧品提供システムを説明する。
【００４３】
図１は、本発明の実施例によるカスタマイズ化粧品提供システムを示す図である。
【００４４】
図１に示されたように、カスタマイズ化粧品提供システムは、診断装置１０、肌管理サーバー２０及び製造装置３０の少なくとも一つ以上を含むことができる。診断装置１０、肌管理サーバー２０及び製造装置３０は、相互間に信号を送受信してユーザにカスタマイズ化粧品を提供することができる。
【００４５】
具体的に、診断装置１０は、ユーザの肌状態を測定することができる。
【００４６】
本発明の一実施例によると、診断装置１０は、測定された肌状態に基づいてカスタマイズ化粧品を推奨することができる。
【００４７】
本発明の他の実施例によると、肌管理サーバー２０が診断装置１０の肌状態の測定結果に基づいてカスタマイズ化粧品を推奨することができる。
【００４８】
しかし、これは例示的なものに過ぎず、診断装置１０、肌管理サーバー２０及び製造装置３０の少なくとも一つ以上でカスタマイズ化粧品を推奨することができる。例えば、診断装置１０は、後述する問診方法によるカスタマイズ化粧品を分析し、肌管理サーバー２０は、ユーザの肌状態によるカスタマイズ化粧品を分析してカスタマイズ化粧品を推奨することができる。したがって、カスタマイズ化粧品を推奨する方法は、前述したものに制限されないことが妥当である。
【００４９】
製造装置３０は、カスタマイズ化粧品の推薦結果に基づいて、推薦された化粧品を製造してユーザに提供することができる。
【００５０】
図２は、本発明の実施例によるカスタマイズ化粧品提供システムを概略的に示すフローチャートである。
【００５１】
図２に示されたように、本発明の実施例によるカスタマイズ化粧品提供システムは、肌診断ステップＳ１、カスタマイズ化粧品の推薦ステップＳ２及び化粧品の提供ステップＳ３で構成され得る。
【００５２】
一実施例によると、カスタマイズ化粧品提供システムは、前で列挙されたステップのうち一部ステップを省略することができる。
【００５３】
他の実施例によると、カスタマイズ化粧品提供システムは、前で列挙されたステップを除いた新しいステップをさらに含むことができる。例えば、図２に示されたようにカスタマイズ化粧品提供システムは、顧客情報の獲得ステップＳ４、カスタマイズ化粧品の購買意思の確認ステップＳ５、カスタマイズ化粧品の修正ステップＳ６、カスタマイズ化粧品のビッグデータの構築ステップＳ７及びメイクアップの推薦ステップＳ８の少なくとも一つ以上をさらに含むことができる。しかし、これは例示的なものに過ぎないので、これに制限されないことが妥当である。
【００５４】
カスタマイズ化粧品提供システムを構成する各ステップは、互いに異なる装置によって行うことができる。
【００５５】
一実施例によると、診断ステップＳ１及び化粧品の推薦ステップＳ２は、診断装置１０によって行われ、カスタマイズ化粧品の製造ステップＳ３は、製造装置３０によって行うことができる。
【００５６】
他の実施例によると、肌診断ステップＳ１は診断装置１０によって行われ、カスタマイズ化粧品の推薦ステップＳ２は肌管理サーバー２０によって行われ、カスタマイズ化粧品製造ステップＳ３は製造装置３０によって行うことができる。しかし、これは例示的なことに過ぎず、二つ以上のステップが一つの装置によって行うこともできる。
【００５７】
以下、カスタマイズ化粧品提供システムを構成する各ステップを具体的に説明する。
【００５８】
先に、本発明によるカスタマイズ化粧品提供システムの肌診断ステップＳ１を説明する。
【００５９】
一実施例によると、肌診断ステップＳ１は、診断装置１０によって行うことができる。次に、図３を参照して、本発明の実施例による診断装置１０を説明する。
【００６０】
図３は、本発明の実施例による診断装置を説明するためのブロック図である。
【００６１】
診断装置１０は、入力部１１、撮影部１２、測定部１３、発光部１４、分析部１５、通信部１６、保存部１７、表示部１８及び制御部１９の少なくとも一つ以上を含むことができる。
【００６２】
入力部１１は、肌状態診断に必要なデータを入力する信号を受信することができる。
【００６３】
入力部１１は、キーパッド（Ｋｅｙｐａｄ）、ドームスィッチ（ｄｏｍｅ  ｓｗｉｔｃｈ）、タッチパッド（定圧／静電）、ジョグホイール、ジョグスィッチなどを含むことができる。
【００６４】
撮影部１２は、ユーザの肌状態の分析に必要な領域を撮影することができる。例えば、撮影部１２は、ユーザの肌領域、ユーザの顔全体領域などを撮影することができる。
【００６５】
測定部１３は、肌状態の分析に必要なデータを測定することができる。例えば、測定部１３は、肌領域から反射される光を測定したり、肌の色相を測定したり、肌の水分量を測定したり、毛穴の深さを測定したり、診断装置１０の周辺の温度／湿度などを測定することができる。
【００６６】
測定部１３は、光センサー、イミジングセンサー、水分測定センサー、温度センサーなどを含むことができる。
【００６７】
発光部１４は、肌状態の診断に必要な光を照射することができる。
【００６８】
分析部１５は、入力部１１、撮影部１２及び測定部１３の少なくとも一つ以上を介して獲得されたデータに基づいて肌状態を診断し、肌状態の診断結果に基づいてカスタマイズ化粧品を推奨することができる。
【００６９】
本発明において、肌状態は、現在ユーザの肌特性を意味することができる。具体的に、肌状態は、肌の色相、肌内の水分量、肌内の油分量、肌の弾力度、肌のしわ、敏感度、肌のしみ、毛穴、紫外線露出の程度、皮脂、左右対称、クレンジング、色調化粧状態、角質、肌のきめ、肌タイプ、有害環境露出の程度及び化粧品の使用習慣による肌ストレスなどを含むことができる。しかし、これは例示的なことに過ぎず、ユーザの肌特性を示す要素は肌状態にすべて含まれ得る。
【００７０】
一実施例によると、分析部１５は、ユーザの年齢に関係なく、客観的な肌状態を診断することができる。
【００７１】
他の実施例によると、分析部１５は、客観的な肌状態と共にユーザの年齢を考慮した肌状態を診断することができる。例えば、分析部１５は、ユーザの客観的な肌状態は普通であるが、ユーザの年齢に対して肌状態は良好であると分析することができる。しかし、これは例示的なことに過ぎないので、これに制限されないことが妥当である。
【００７２】
通信部１６は、カスタマイズ化粧品の提供に必要な少なくとも一つ以上のデータを外部装置と送受信することができる。例えば、通信部１６は、カスタマイズ化粧品に関する情報を外部装置に伝送することができる。
【００７３】
通信部５１０は、有／無線通信技術を支援する有／無線通信モジュールを利用して外部装置にデータを伝送するか、または外部からデータを受信することができる。ここで、有線通信技術は、ＵＳＢ(Ｕｎｉｖｅｒｓａｌ  Ｓｅｒｉａｌ  Ｂｕｓ)通信などを含むことができ、無線通信技術は、無線ラン（Ｗｉｒｅｌｅｓｓ  ＬＡＮ；ＷＬＡＮ）、ワイファイ（Ｗｉ−Ｆｉ）、ワイブロ（Ｗｉｒｅｌｅｓｓ  Ｂｒｏａｄｂａｎｄ；  Ｗｉｂｒｏ）、ワイマックス（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ；  Ｗｉｍａｘ）、高速下向パケット接続（Ｈｉｇｈ  Ｓｐｅｅｄ  Ｄｏｗｎｌｉｎｋ  Ｐａｃｋｅｔ  Ａｃｃｅｓｓ；  ＨＳＤＰＡ）、ＩＥＥＥ８０２．１６、ロングタームエボリューション（Ｌｏｎｇ  Ｔｅｒｍ  Ｅｖｏｌｕｔｉｏｎ；  ＬＴＥ）、広帯域無線移動通信サービス（Ｗｉｒｅｌｅｓｓ  Ｍｏｂｉｌｅ  Ｂｒｏａｄｂａｎｄ  Ｓｅｒｖｉｃｅ；  ＷＭＢＳ）などを含むことができる。
【００７４】
保存部１７は、肌状態の診断に必要なデータを保存することができる。例えば、保存部１７は、肌色の測定値とこれに対応する化粧品の色相をマッピングしたテーブル、肌のしわの数と肌年齢をマッピングしたテーブルなどを保存することができる。
【００７５】
保存部１７は、カスタマイズ化粧品の推薦に必要な情報を保存することができる。制御部１７は、肌状態の診断結果によって推薦可能なカスタマイズ化粧品に関する情報を保存することができる。
【００７６】
表示部１８は、肌状態の診断結果を表示することができる。または、表示部１８は、肌状態を問診方式で診断する場合、質問内容及び応答内容を表示することができる。
【００７７】
表示部１８は、肌状態の診断結果によって推薦されたカスタマイズ化粧品に関する情報を表示することができる。
【００７８】
制御部１９は、カスタマイズ化粧品の提供に必要な全般的な動作を制御することができる。制御部１９は、診断装置１０を構成する各構成要素の個別的な動作または融合される動作を制御することができる。
【００７９】
前述した各構成要素の動作は、例示的なことであって、各構成要素は、肌状態の診断に必要な多様な動作を行うことができる。
【００８０】
このような肌状態を診断する診断装置１０は、肌状態を診断することができる個人用移動端末機及び化粧品販売所に具備される肌診断装置を含むことができる。例えば、診断装置１０は、スマートフォン（ｓｍａｒｔ  ｐｈｏｎｅ）、携帯電話、セルラーフォン、スマートパッド、ＰＤＡ（Ｐｅｒｓｏｎａｌ Ｄｉｇｉｔａｌ Ａｓｓｉｓｔａｎｔｓ）、タブレット、ノートパソコン、デスクトップＰＣ、顔面検査機、肌測定器、肌トン測定器、油分測定器、水分測定器、角質測定器、弾力測定器などを含むことができる。
【００８１】
本発明の実施例による診断装置１０は、ユーザにカスタマイズ化粧品を提供するために各ユーザの肌状態を診断、測定または分析することができる。
【００８２】
以下、本発明の多様な実施例による肌診断ステップＳ１で診断装置１０が肌状態を診断する方法を説明する。
【００８３】
本発明の第１実施例による肌診断方法は、肌画像の階調度を利用することであって、次の通りである。
【００８４】
診断装置１０の撮影部１２は、肌領域を撮影して肌画像を獲得することができる。診断装置１０の分析部１５は、獲得された肌画像を複数の色平面であるＲ平面、Ｇ平面及びＢ平面に分離して、肌状態を診断することができる。
【００８５】
一実施例によると、分析部１５は、分離された各色平面のデータを抽出して肌画像の平均階調度を算出することができる。一方、診断装置１０の保存部１７は、複数の階調度と各階調度に対応する肌状態情報をマッピングした階調度テーブルを保存することができる。診断装置１０の分析部１５は、算出された平均階調度と一致する階調度を既に保存された階調度テーブルから獲得してユーザの肌状態を診断することができる。
【００８６】
他の実施例によると、診断装置１０の分析部１５は、分離された複数の色平面（Ｒ平面、Ｇ平面及びＢ平面）のいずれか一つの色平面のみを抽出し、抽出された色平面のグレーレベルの分散を算出することができる。一方、診断装置１０の保存部１７は、グレーレベルの分散と肌年齢をマッピングした年齢曲線を保存することができる。したがって、分析部１５は、算出されたグレーレベルの分散に対応する肌年齢を年齢曲線から獲得して、肌状態を診断することができる。
【００８７】
また、他の実施例によると、診断装置１０の分析部１５は、分離された色平面（Ｒ平面、Ｇ平面及びＢ平面）をｓＲＧＢ（ｓｔａｎｄａｒｄ  ＲＧＢ）に変換することができる。ｓＲＧＢは、ＨＤＴＶシステムで使用する色空間であって、ｓＲＧＢに変換すると、モニター、カメラ、スキャナなどで同一の色再現結果を得ることができる。診断装置１０の分析部１５は、ｓＲＧＢの推定パラメーターを有するガウス確率分布によって標準Ｒ、Ｇ、Ｂ成分の色分布をモデリングすることができる。ここで、推定パラメーターは、肌画像を介して獲得された推定標準偏差であり得る。分析部１５は、モデリングしたＲ、Ｇ、Ｂ成分を利用して肌タイプのような肌状態を診断することができる。
【００８８】
本発明の第２実施例による肌診断方法は、光を照射して肌領域を撮影する方法を利用することであって、次の通りである。
【００８９】
一実施例によると、診断装置１０の発光部１４は、所定面積の肌領域に励起光を照射し、診断装置１０の測定部１３は、照射された励起光によって発生する磁気蛍光を感知することができる。診断装置１０の分析部１５は、感知された磁気蛍光を利用して肌の蛍光画像を生成し、生成された肌の蛍光画像を介して蛍光強度の分布パターンを分析してユーザの肌状態を診断することができる。
【００９０】
他の実施例によると、診断装置１０の発光部１４は、診断しようとする肌領域に光を照射することができる。このとき、発光部１４が肌領域に照射する光は、グリーン（Ｇ）とブルー（Ｂ）の波長帯域でメラニンとヘモグロビンによる吸収影響度が互いに異なるピークを有するスペクトル特性の光に該当し得る。診断装置１０は、Ｒ、Ｇ及びＢそれぞれの波長帯域のみを透過させるフィルター（図示せず）をさらに含むことができ、撮影部１２は、各フィルターを透過して肌領域から反射される反射光を撮影することができる。分析部１５は、Ｒ、Ｇ、Ｂそれぞれの波長帯域を透過して撮影された映像信号を出力して肌の色素沈着可否、面積などのような肌状態を診断することができる。
【００９１】
本発明の第３実施例による肌診断方法は、偏光を利用することであって、次の通りである。
【００９２】
診断装置１０の撮影部１２は、少なくとも二つの偏光フィルターを装着したカメラを利用して肌画像を撮影することができる。
【００９３】
一実施例によると、診断装置１０の測定部１３は、二つの偏光フィルターの間の相対角度の変化に応じて可変する反射光データを演算して肌の内部反射光または肌の外部反射光を獲得することができる。一方、診断装置１０の保存部１７は、肌での反射光の数値による肌レベルテーブルを保存することができ、分析部１５は、獲得された肌の内部反射光または肌の外部反射光を保存された肌レベルテーブルと比較してユーザの肌状態を診断することができる。
【００９４】
他の実施例によると、診断装置１０の測定部１３は、肌の交差偏光画像と平行偏光画像を撮影し、撮影された交差偏光画像と平行偏光画像の差に対応する表面反射光画像を獲得してつや指数のような肌状態を診断することができる。
【００９５】
本発明の第４実施例による肌診断方法は、既に設定された数式を利用することであって、次の通りである。
【００９６】
一実施例によると、診断装置１０の保存部１７は、肌状態の診断と関連した少なくとも一つ以上の数式を保存することができる。診断装置１０の撮影部１２または測定部１３が肌状態と関連したデータを獲得し、分析部１５は、獲得されたデータを既に設定された数式に適用して肌状態を診断することができる。例えば、診断装置１０の測定部１３は、肌領域、粘膜領域または結合組職領域の光反射率を測定することができる。分析部１５は、測定された光反射率を介して明るさを示すＬと、レッドとグリーンのより近い色相を示すａと、イエローとブルーのより近い色相を示すｂを獲得することができる。分析部１５は、獲得されたＬ、ａ、ｂを既に設定された公式に適用することができる。既に設定された公式は、（Ｌｍａｘ−Ｌ）×ａ、（Ｌｍａｘ−Ｌ）×ｂであり得が、これは例示的なものに過ぎない。分析部１５は、獲得されたＬ、ａ、ｂを既に設定された公式に適用して肌の色相及び赤いまだらの色相などのような肌状態を診断することができる。
【００９７】
他の実施例によると、診断装置１０の測定部１３は、白色光を入射してキャプチャした第１肌領域の画像データを獲得し、偏光を入射してキャプチャした第２肌領域の画像データを獲得することができる。診断装置１０の分析部１５は、獲得された第１肌領域の画像データを畳み込み、第２肌領域画像データを畳み込み、 畳み込んだ結果生成された二つの畳み込みの極端位置を比較して肌類型のような肌状態を診断することができる。
【００９８】
本発明の第５実施例による肌診断方法は、肌画像のグレースケールを利用することであって、次の通りである。
【００９９】
診断装置１０の撮影部１２は、肌領域を撮影して肌画像を獲得することができる。診断装置１０の分析部１５は、獲得された肌画像のグレースケール値を算出し、既に設定されたグレースケール値から最大グレースケール値までの範囲に属するピクセルの粒子数を演算することができる。診断装置１０の分析部１５は、演算された粒子数を利用して肌領域の水分含有量のような肌状態を診断することができる。
【０１００】
本発明の第６実施例による肌診断方法は、肌の色相を判断する方法であって、次の通りである。
【０１０１】
一実施例によると、診断装置１０の保存部１７は、複数の肌色を含む肌色相の類型情報を保存することができる。診断装置１０の測定部１３は、ユーザの色を測定し、分析部１５は、保存された肌色相の類型情報から測定された肌色と類似の色相を獲得して、ユーザの肌の色相類型のような肌状態を診断することができる。
【０１０２】
他の実施例によると、診断装置１０の撮影部１２は、肌領域と共に基準色表をさらに撮影することができる。撮影部１４が肌領域と基準色表を撮影する間に発光部１５は、肌領域と基準色表に同じ強さの光を照射することができる。特に、診断装置１０は、外部光遮断部材（図示せず）をさらに含んで、発光部１４から照射する光以外の光を遮断することができる。分析部１５は、撮影された肌領域の色と同じ色を基準色表から獲得して、肌の色相類型のような肌状態を診断することができる。この場合、同じ条件で肌領域と基準色表を撮影してさらに正確に肌状態を診断することができるという利点がある。
【０１０３】
本発明の第７実施例による肌診断方法は、肌の色素沈着領域を利用することであって、次の通りである。
【０１０４】
一実施例によると、診断装置１０の撮影部１２は、肌領域を撮影して肌画像を獲得することができる。診断装置１０の分析部１５は、獲得された肌画像のデータに加重値を適用して色素沈着領域の輪郭を導出することができる。診断装置１０の分析部１５は、色素沈着領域の輪郭から色素沈着領域の模様、色素沈着領域の位置、色素沈着領域の大きさ及び色素沈着領域の数などを分析してユーザの肌状態を診断することができる。
【０１０５】
他の実施例によると、診断装置１０の撮影部１２は、肌領域に白色灯を照らして撮影して肌画像を獲得し、分析部１５は、獲得された肌画像に含まれたカラー信号のうち既に決定された波長を有するカラー信号を処理して所定の臨界値より濃度が高い部分のエッジ線を検出して色素沈着領域を獲得することができる。診断装置１０の分析部１５は、獲得された色素沈着領域を介してユーザの肌状態を診断することができる。
【０１０６】
また、他の実施例によると、診断装置１０の撮影部１２は、肌領域を撮影して肌画像を獲得することができる。診断装置１０の測定部１３は、肌画像から少なくとも一つ以上の所定サイズの色むらを分解することができる。分析部１５は、色むらから肌の色情報を獲得し、獲得された色情報を介して色むら指数を算出することができる。色情報による色むら指数は、デフォルトで設定されるか、またはユーザ入力によって設定され得る。例えば、色情報がホワイト系であれば、色むら指数は０〜４、色情報がイエロー系であれば、色むら指数は５〜７、色情報がレッド系であれば、８〜９であり得るが、これは例示的なことに過ぎないので、これに制限されない。分析部１５は、算出された色むら指数を介して肌のくすみの程度のような肌状態を診断することができる。
【０１０７】
本発明の第８実施例による肌診断方法は、肌の皮脂量を判断する方法であって、次の通りである。
【０１０８】
診断装置１０の撮影部１２は、肌領域の蛍光画像を撮影することができる。診断装置１０の分析部１５は、蛍光画像からブライトーホワイト蛍光点を抽出して、抽出されたブライトーホワイト蛍光点の分布を肌の皮脂分布として認識することができる。したがって、分析部１５は、ブライトーホワイト蛍光点の面積の割合または強度などを獲得して、ユーザの皮脂分布、皮脂量などのような肌状態を診断することができる。
【０１０９】
本発明の第９実施例による肌診断方法は、肌のしわ状態を判断する方法であって、次の通りである。
【０１１０】
診断装置１０の撮影部１２は、肌領域を撮影して肌画像を獲得することができる。診断装置１０の分析部１５は、肌画像から複数の所定角度それぞれに対して線形テキスト画像を抽出することができる。分析部１５は、線形テキスト画像から所定角度ごとに線形成分の強度を抽出して肌のしわ数、しわ感度などのような肌状態を診断することができる。
【０１１１】
本発明の第１０実施例による肌診断方法は、肌の毛穴状態を判断する方法であって、次の通りである。
【０１１２】
診断装置１０の撮影部１２は、肌の毛穴の光干渉断層画像を撮影することができる。分析部１５は、毛穴の光干渉断層画像から毛穴の輪郭を抽出して、毛穴の深さ方向で肌表面から最も括れている部分までの距離を測定することができる。分析部１５は、各毛穴ごとに肌表面から毛穴の最も括れている部分までの距離を毛穴の強度と比例して毛穴の強度を測定することができる。分析部１５は、毛穴の輪郭、毛穴の強度などを介して毛穴の分布度、毛穴の深さなどのような肌状態を診断することができる。
【０１１３】
本発明の第１１実施例による肌診断方法は、問診方法を利用することであって、次の通りである。
【０１１４】
診断装置１０の表示部１８は、肌関連の質問内容を出力することができる。例えば、質問内容は、ユーザの起床時刻／就寝時刻のようなライフスタイル、ユーザの年齢、ユーザの使用中の化粧品種類、ユーザの職業、化粧習慣、有害環境露出程度などを含む肌状態の診断に必要な内容を意味する。しかし、これは例示的なことに過ぎないので、これに制限されないことが妥当である。表示される質問内容は周期的にアップデートされ得る。入力部１３は、表示された質問内容に対応する応答信号を受信することができる。表示部１８は、質問内容と共に応答信号を介して受信された応答内容をさらに表示することができる。
【０１１５】
一実施例によると、分析部１５は、保存部１７に保存されたデータに基づいてユーザから受信された応答信号を分析して、ユーザの肌状態を診断することができる。
【０１１６】
他の実施例によると、通信部１６は、ユーザから受信された応答信号を肌管理サーバー２０に伝送し、肌管理サーバー２０は、伝送されたデータに基づいてユーザの肌状態を診断することができる。肌管理サーバー２０は、分析されたユーザの肌状態を診断装置１０に伝送することができ、診断装置１０の通信部１６は、分析されたユーザの肌状態を受信することができる。
【０１１７】
本発明の第１２実施例による肌診断方法は、周辺環境を考慮して肌状態を診断する方法であって、次の通りである。
【０１１８】
測定部１３は、周辺環境状態を感知することができる。例えば、周辺環境状態は、診断装置１０が位置した空間の温度、湿度などを含むことができる。しかし、これは例示的なことに過ぎないので、これに制限されないことが妥当である。
【０１１９】
一方、制御部１９は、肌状態を正確に分析するための周辺環境状態の基準を設定することができる。例えば、制御部１９は、周辺環境状態の基準として基準温度を２０度、基準湿度を８０％に設定することができるが、これは例示的なことに過ぎないので、これに制限されないことが妥当である。
【０１２０】
診断装置１０の測定部１３が肌内の水分量、肌の弾力度、肌の油分などのようなユーザの肌状態を測定すると、分析部１５は、感知された周辺環境状態を考慮して測定された肌状態を補正することができる。具体的に、測定部１３を介して測定された温度が２０度であり、湿度が５０％の場合、周辺環境状態と周辺環境状態の基準との差である湿度３０％を算出して測定された肌内の水分量を３０％増加させる補正をすることができる。
【０１２１】
このように、診断装置１０は、周辺環境を考慮して測定された肌状態を補正することのよってさらに正確にユーザの肌状態を診断することができる。
【０１２２】
前述した各実施例は例示的なものであって、診断装置１０は、前述した肌診断方法を除いた他の方法を介して肌状態を診断することもできる。
【０１２３】
また、前述した診断方法の各実施例は単独で実施されることもあり、複数の実施例が融合されて実施されることもある。例えば、診断装置１０は、撮影部１２が撮影した肌画像を分析した結果と問診方法を介して入力部１１が受信した応答信号の分析とを融合してユーザの肌状態を診断することもできる。これは例示的なことであって、診断装置１０は、一つの実施例にまたは二つ以上の実施例を融合してユーザの肌状態を診断することができる。
【０１２４】
また、複数の診断装置１０が肌状態を診断することもできる。例えば、第１診断装置１０がユーザの肌を撮影し、第２診断装置１０が肌状態と関連した質問を表示及び応答を受信して肌状態を診断することもできる。
【０１２５】
診断装置１０は、肌状態を診断する前に撮影部１２または測定部１３を介して獲得された撮影画像または肌情報が肌状態を診断するのに適切な状態であるか否かをさらに判断することができる。例えば、診断装置１０の撮影部１２が撮影した肌画像の明るさを獲得し、獲得された明るさが既に設定された基準以下である場合、肌状態を診断するのに不適切なことと判断することができる。また、表示部１８は、肌状態を再測定しなさいというメッセージを出力して、肌状態を再測定することができる。これによって、暗い周辺環境または乾燥した周辺環境などによって肌状態が誤測定される場合を防止することができるという利点がある。
【０１２６】
次に、本発明によるカスタマイズ化粧品提供システムのカスタマイズ化粧品の推薦ステップＳ２を説明する。
【０１２７】
本発明の実施例によるカスタマイズ化粧品の推薦ステップＳ２は、以前に行われた肌診断ステップＳ１で獲得されたデータに基づいて、ユーザに適切な化粧品を推奨するステップであり得る。
【０１２８】
一実施例によると、診断装置１０の通信部１６が肌状態の診断結果を肌管理サーバー２０に伝送して、肌管理サーバー２０がカスタマイズ化粧品を推奨することができる。
【０１２９】
次に、図４を参照して本発明の実施例による肌管理サーバー２０を説明する。
【０１３０】
図４は、本発明の実施例による肌管理サーバーを説明するためのブロック図である。
【０１３１】
肌管理サーバー２０は、通信部２１、保存部２２、制御部２３、カスタマイズ化粧品ＤＢ２４及びメイクアップＤＢ２５の少なくとも一つ以上を含むことができる。
【０１３２】
通信部２１は、カスタマイズ化粧品の提供に必要なデータを診断装置１０または製造装置３０と送受信することができる。例えば、通信部２１は、肌状態の診断と関連したデータを診断装置１０と送受信し、カスタマイズ化粧品と関連したデータを製造装置３０と送受信することができる。また、通信部２１は、カスタマイズ化粧品と関連したデータを診断装置１０と送受信することもできる。
【０１３３】
通信部２１は、診断装置１０の通信部１６と類似しており、同一の内容は省略するようにする。
【０１３４】
保存部１７は、化粧品の推薦に必要なデータを保存することができる。具体的に、保存部１７は、肌状態の診断結果とカスタマイズ化粧品に関する情報を保存することができる。例えば、保存部１７は、肌状態の診断結果と化粧品材料の成分と含量、配合比をマッピングしたテーブルを保存することができる。
【０１３５】
カスタマイズ化粧品ＤＢ２４は、肌状態の診断結果とこれに対応するカスタマイズ化粧品の情報を蓄積したデータベースであり得る。カスタマイズ化粧品ＤＢ２４は、肌状態の診断結果を受信するたびに肌状態の診断結果及びこれに対応するカスタマイズ化粧品を保存して、カスタマイズ化粧品の情報を管理することができる。
【０１３６】
メイクアップＤＢ２５は,メイクアップ画像とこれに対応するメイクアップ画像に使用された化粧品種類またはメイクアップ点数を蓄積したデータベースであり得る。メイクアップＤＢ２５を介してユーザに推奨したカスタマイズ化粧品を利用したメイクアップ方法などを推奨することができる。
【０１３７】
前述した各構成要素の動作は、例示的なことであって、各構成要素は、カスタマイズ化粧品の推薦に必要な多様な動作を行うことができる。
【０１３８】
本発明の一実施例によると、肌管理サーバー２０には、ＷＡＳ（Ｗｅｂ  Ａｐｐｌｉｃａｔｉｏｎ  Ｓｅｒｖｅｒ）が含まれ得る。この場合、肌管理サーバー２０は、カスタマイズ化粧品の提供システム内の信号の送受信を制御することができる。例えば、顧客の識別情報、肌診断結果情報、カスタマイズ化粧品に関する情報は、肌管理サーバー２０を介して送受信され得る。
【０１３９】
また、ＷＡＳは、アプリケーションの動作を支援することができるので、肌管理サーバー２０がカスタマイズ化粧品を推奨することもできる。すなわち、肌管理サーバー２０は、診断装置１０から受信された肌状態の診断結果に基づいてカスタマイズ化粧品を推奨し、カスタマイズ化粧品に関する情報を製造装置３０に伝送することができる。
【０１４０】
他の実施例によると、診断装置１０が肌状態を診断し、保存部１７に保存されたデータを利用して診断装置１０がカスタマイズ化粧品を推奨することができる。診断装置１０は、カスタマイズ化粧品に関する情報を製造装置２０に伝送することができる。
【０１４１】
このように、化粧品の推薦ステップＳ２は、診断装置１０または肌管理サーバー２０で行われるが、これは例示的なことであって、診断装置１０と肌管理サーバー２０を除いた他の器機で化粧品の推薦ステップが行われることもある。
【０１４２】
以下、化粧品の推薦ステップＳ２を診断装置１０が行うことを例を挙げて多様な化粧品の推薦方法を説明するが、これに制限されないことが妥当である。すなわち、化粧品の推薦ステップＳ２は、肌管理サーバー２０が行われるか、または診断装置１０と肌管理サーバー２０で共に行われ得るが、説明の便宜のために診断装置１０が行う場合を例示として説明する。
【０１４３】
本発明による診断装置１０は、肌状態の診断結果に基づいてユーザに適切なカスタマイズ化粧品を推奨することができる。具体的に、診断装置１０は、ユーザの肌状態によってユーザの肌色に適した化粧品の色相、化粧品の成分などを推奨することができる。
【０１４４】
本発明において、カスタマイズ化粧品は、化粧品の材料が所定の配合比で配合されて製作される化粧品、既に製作された常用化粧品を含むことができる。
【０１４５】
本発明の第１実施例による化粧品の推薦方法は、化粧品材料の配合比データベースを利用することであって、次の通りである。
【０１４６】
診断装置１０の保存部１７は、化粧品材料の配合比を含む化粧品製造データベースを保存することができる。
【０１４７】
ここで、化粧品材料の配合比は、化粧品材料の成分と各成分の配合の割合、化粧品材料の成分と各成分の含量を含むことができる。
【０１４８】
また、化粧品材料の配合比は、化粧品の色相を決定するための配合比、化粧品の使用感（例えば、モイスチャーまたはマットなど）を決定するための配合比、カバー力を決定するための配合比及び效能（例えば、美白、毛穴縮小、しわ改善など）を決定するための配合比などを含むことができ、色相、使用感、カバー力及び效能の少なくとも二つ以上を考慮する配合比を含むことができる。
【０１４９】
診断装置１０の制御部１９は、肌状態の診断結果に基づいて保存部１７に保存された化粧品製造データベースで少なくとも一つ以上の配合比を獲得することができる。
【０１５０】
本発明において、肌状態の診断結果は、肌診断ステップＳ１で診断した肌状態を分析して獲得された結果情報であり得る。具体的に、肌状態の診断結果は、肌タイプ、肌トン、肌の色相、肌内の水分量、肌内の油分量、肌の弾力度、油水分バランス、肌のしわの大きさ及び数、肌内の色素沈着領域の大きさ及び数、肌内の毛穴の大きさ及び量、敏感度、紫外線露出の程度、皮脂分泌量、左右対称、クレンジング及び 色調化粧状態、肌年齢、角質、肌のきめ、肌タイプ、有害環境露出の程度及び化粧品使用習慣による肌ストレスなどを含むことができる。
【０１５１】
肌状態の診断結果は、客観的な診断結果であり、またはユーザの年齢を考慮した相対的な診断結果であり得る。
【０１５２】
次に、図５に示された化粧品製造データベースの例示を介して肌状態の診断結果に基づいて少なくとも一つ以上の配合比を獲得する方法を説明する。
【０１５３】
図５は、本発明の一実施例による化粧品製造データベースを説明するための例示図である。
【０１５４】
図５に示されたように、本発明の一実施例による化粧品製造データベースは、化粧品材料Ａ、Ｂ、Ｃ、Ｄ、Ｅ、Ｆの少なくとも一つ以上と、化粧品材料Ｇ、Ｈのいずれか一つと、化粧品材料Ｍ、Ｎ、Ｏ、Ｐ、Ｑのいずれか一つを組み合わせる配合比を含むことができる。
【０１５５】
このとき、化粧品材料Ａ、Ｂ、Ｃ、Ｄ、Ｅ、Ｆは、化粧品の色相とカバー力を決定する材料であって、Ａは明るいピンク色相でカバー力が高い材料であり、Ｂは明るいイエロー色相でカバー力が高い材料であり、Ｃは暗いピンク色相でカバー力が高い材料であり、Ｄは暗いイエロー色相でカバー力が高い材料であり、Ｅは明るいベージュ色相でカバー力が低い材料であり、Ｆは暗いベージュ色相でカバー力が低い材料であり得るが、これは例示的なものに過ぎない。
【０１５６】
制御部１９は、ユーザの肌の色相、色素沈着の程度及び毛穴などを考慮して化粧品材料Ａ、Ｂ、Ｃ、Ｄ、Ｅ、Ｆのいずれか一つを選択するか、または二つ以上を組み合わせる配合比を選択することができる。例えば、図５を参照すると、化粧品製造データベースに含まれた複数の配合比項目４０のいずれか一つを選択することができる。
【０１５７】
配合比項目４０は、化粧品製造に使用される化粧品材料の成分と使用量（ｇ）を含む。例えば、‘Ａ：２４、Ｃ：８’を含む配合比項目４０は、化粧品材料 Ａ２４ｇと化粧品材料Ｃ８ｇが配合されて製造されるカスタマイズ化粧品を意味することができる。
【０１５８】
一方、化粧品材料Ｇ、Ｈは化粧品の使用感を決定する材料であり、Ｇは補習力が高い材料であり、Ｈはマットな材料であり得るが、これは例示的なものに過ぎない。
【０１５９】
制御部１９は、ユーザ肌の水分量及び油分量を考慮してＧまたはＨのいずれか一つを選択するか、またはＧとＨの配合比を調節することができる。
【０１６０】
また、化粧品材料 Ｍ、Ｎ、Ｏ、Ｐ、Ｑは化粧品の效能を決定する材料であり、Ｍはしわ改善用材料、Ｎは美白用材料、Ｏは毛穴縮小用材料、Ｐは皮脂調節用材料、Ｑはにきび改善用材料であり得るが、これは例示的なものに過ぎない。
【０１６１】
制御部１９は、ユーザの肌状態を診断した結果に基づいて化粧品材料Ｍ、Ｎ、Ｏ、Ｐ、Ｑのいずれか一つを選択するか、または少なくとも二つ以上を組み合わせる配合比が選択され得る。例えば、制御部１９は、ユーザの肌状態を診断した肌内のしわの数が多い場合、しわ改善用材料Ｍを選択することができる。
【０１６２】
このように、制御部１９は、ユーザの肌状態によって色相を決定する化粧品材料と、使用感を決定する化粧品材料と、效能を決定する化粧品材料との割合を異にしてユーザに適切な化粧品を推奨することができる。
【０１６３】
また、この場合にも、制御部１９は、色相を決定する化粧品材料と、使用感を決定する化粧品材料と、效能を決定する化粧品材料との割合を互いに異なるように決定することができる。例えば、制御部１９は、色相を決定する化粧品材料と、使用感を決定する化粧品材料と、效能を決定する化粧品材料との割合を６：３：１または３：３：３のようにユーザの肌状態によって互いに異なるように調節することができる。
【０１６４】
図５に示されたように、化粧品製造データベースを利用すると、少ない数の化粧品材料だけでユーザにカスタマイズ化粧品を提供することができるという利点がある。すなわち、カートリッジを介して限定された材料を組み合わせてユーザに多様な種類のカスタマイズ化粧品を製造することができるという利点がある。
【０１６５】
このように、診断装置１０の制御部１９は、肌状態の診断結果に基づいて化粧品製造データベースで少なくとも一つ以上の化粧品材料の配合比を獲得してカスタマイズ化粧品を推奨することができる。
【０１６６】
これによると、保存部１７が一つの化粧品材料の配合比のみを保存すれば良いので保存部１７の空間を節約することができるという利点がある。
【０１６７】
一方、また他の実施例によると、診断装置１０の保存部１７は、肌状態ごとに化粧品タイプをマッピングしたデータベースを保存することができる。
【０１６８】
ここで、化粧品タイプは、‘タイプ１（GA-タイプ）’、‘タイプ２（NA-タイプ）’ などを示すことができ、製造装置３０にそれぞれの化粧品タイプごとに化粧品材料の配合比が保存され得る。
【０１６９】
したがって、診断装置１０がユーザの肌状態に基づいて化粧品タイプを推奨して製造装置３０に伝送することができ、製造装置３０は、受信された化粧品タイプに対応する化粧品材料の配合比によってカスタマイズ化粧品を製造することができる。
【０１７０】
これによると、診断装置１０が化粧品材料の配合比を保存することができ、保存空間を效率的に管理することができるという利点がある。
【０１７１】
本発明の第２実施例による化粧品の推薦方法は、化粧品材料の配合式を算出する方法であって、次の通りである。
【０１７２】
一実施例によると、診断装置１０の制御部１９は、化粧品材料それぞれを各軸に設定することができる。制御部１９は、ユーザの肌状態の診断結果を各軸に化粧品材料が対応された空間に位置させることができる。制御部１９は、肌状態の診断結果が位置した座標値情報を複数の化粧品材料の質量比として認識することができる。例えば、制御部１９は、Ｘ軸が化粧品材料Ａを示し、Ｙ軸が化粧品材料Ｂを示す空間の座標値 ４０、６０にユーザの肌状態の診断結果が位置すると、化粧品材料Ａと化粧品材料Ｂを４：６の割合で配合した化粧品を推奨することができる。
【０１７３】
他の実施例によると、診断装置１０の制御部１９は、明るさを示すＬと、レッドとグリーンのより近い色相を示すａと、イエローとブルーのより近い色相を示すｂを獲得することができる。制御部１９は、獲得されたＬ、ａ、ｂを既に保存された式に適用して化粧品の色相を推奨することができる。
【０１７４】
本発明の第３実施例による化粧品の推薦方法は、メイクアップ色相を推奨する方法であって、次の通りである。
【０１７５】
診断装置１０は、肌診断ステップＳ１を介してユーザの肌の色相を獲得することができる。診断装置１０の制御部１９は、ユーザの肌の色相に対応するメイクアップ色相とこれに対応する化粧品材料を推奨することができる。
【０１７６】
一実施例によると、診断装置１０の保存部１７は、肌の色相とメイクアップ色相をマッピングしたメイクアップ色相テーブルを保存しているので、制御部１９がユーザの肌の色相によるメイクアップ色相を獲得することができる。
【０１７７】
他の実施例によると、診断装置１０の保存部１７は、肌色を明度、色相、彩度の三指標に基づいて数値化した色差計と、色差計による数値と肌色に最も適したメイクアップ色相を示す関係式を保存することができる。したがって、制御部１９は、ユーザの肌の色相と測定された色差計を介してユーザに適したメイクアップ色相を獲得することができる。
【０１７８】
また、他の実施例によると、診断装置１０の制御部１９は、ユーザの肌画像を獲得して、ユーザの肌画像に多様な映像処理を行うことができる。ここで、映像処理は、補色処理、推薦色処理、肌の反射率に基づいて表面色変動処理などを含むことができる。このように、制御部１９は、肌画像に多様な映像処理を行い、メイクアップされたシミュレーション画像を獲得することができる。制御部１９は、シミュレーション画像に基づいてユーザに適切なメイクアップ色相を推奨することができる。例えば、制御部１９は、複数のシミュレーション画像を診断装置１０を介してユーザに提供してユーザからいずれか一つのシミュレーション画像を選択する入力信号を受信すると、選択されたシミュレーション画像に対応するメイクアップ色相を獲得することができる。
【０１７９】
制御部１９は、多様な実施例によって獲得されたメイクアップ色相によるカスタマイズ化粧品を推奨することができる。
【０１８０】
本発明の第４実施例による化粧品の推薦方法は、問診結果を考慮して化粧品を推奨する方法であって、次の通りである。
【０１８１】
診断装置１０は、問診方法を介してユーザが使用しようとする化粧品種類を入力する信号を受信することができる。具体的に、診断装置１０の表示部１８は、ユーザに化粧品種類を推奨するための少なくても一つ以上の質問を表示することができる。例えば、表示部１８は、自然な化粧品またはカバー力の高い化粧品のうち好む化粧品を選択する質問を表示することができる。ユーザは、診断装置１０の入力部１１を介して使用しようとする化粧品を選択することができる。
【０１８２】
診断装置１０は、ユーザの肌診断結果と問診結果をそれぞれまたは共に考慮して、少なくとも一つ以上の化粧品材料の配合比を推奨することができる。
【０１８３】
本発明の第５実施例による化粧品の推薦方法は、周辺要素を考慮して化粧品を推奨する方法であって、次の通りである。
【０１８４】
診断装置１０の制御部１９は、肌診断ステップＳ１でユーザの年齢帯、ユーザの肌トン、ユーザの顔構造、ユーザの使用中の化粧品材料、ユーザの好む香、ユーザ肌の色素沈着可否などを獲得することができる。制御部１９は、獲得された肌トン、顔構造、使用中の化粧品材料、色素沈着のような肌状態などに基づいてユーザに適切な化粧品を推奨することができる。
【０１８５】
例えば、ユーザの顔構造が四角形の場合、シェイディング（ｓｈａｄｉｎｇ）製品を推奨することができる。他の例を挙げて、ユーザが使用中の化粧品材料に油分が多く、ユーザの肌に皮脂が多くの場合、油分が少ない化粧品を推奨することができる。
【０１８６】
他の実施例によると、診断装置１０の制御部１９は、ユーザの毛髪の色相、ユーザのヘアースタイル、顔の色相及び瞳の色相の少なくとも一つ以上を獲得することができる。制御部１９は、獲得された毛髪の色相、顔の色相及び瞳の色相をすべて考慮してユーザに適切なカスタマイズ化粧品を推奨することができる。
【０１８７】
または、診断装置１０は、色素沈着の程度ごとにメイクアップ製品のカバー力をマッピングしたデータに基づいてカスタマイズ化粧品を推奨することができる。具体的に、色素沈着の程度は、顔の面積に対して色素面積を意味することができ、メイクアップ製品のカバー力は、カバー力が低い製品、カバー力が普通の製品、カバー力が高い製品であり得るが、このような分類は例示的なことに過ぎない。メイクアップＤＢ２５は、色素沈着の程度ごとにメイクアップ製品のカバー力をマッピングしたデータを保存することができる。診断装置１０がユーザの色素沈着の情報を分析し、メイクアップＤＢ２５を介してユーザに適したカバー力を有するメイクアップ製品を推奨することができる。
【０１８８】
前述した各実施例は例示的なことであって、診断装置１０は、前述した化粧品の推薦方法を除いた他の方法を介して化粧品を推奨することもできる。
【０１８９】
また、前述した化粧品の推薦方法の各実施例は、単独で実施されることもあり、複数の実施例が融合されて実施されることもある。例えば、診断装置１０の制御部１９は、化粧品製造データベースを介して獲得した化粧品材料の配合比に問診結果によるユーザの選好化粧品を考慮して化粧品製造データベースに保存されている化粧品材料の配合比または化粧品製造データベースに保存されていない化粧品材料の配合比で製作される化粧品を推奨することができる。
【０１９０】
診断装置１０は、肌状態の診断結果に基づいてカスタマイズ化粧品を推奨し、推奨するカスタマイズ化粧品の情報を製造装置３０に伝送することができる。製造装置３０は、カスタマイズ化粧品の情報を受信すると、ユーザにカスタマイズ化粧品を提供するように制御され得る。
【０１９１】
このとき、本発明の実施例によるカスタマイズ化粧品提供システムは、カスタマイズ化粧品の推薦ステップＳ２とカスタマイズ化粧品の提供ステップＳ３との間に顧客情報の獲得ステップＳ４、カスタマイズ化粧品の購買意思の確認ステップＳ５、カスタマイズ化粧品の修正ステップＳ６、カスタマイズ化粧品のビッグデータ構築ステップＳ７及びメイクアップの推薦ステップＳ８の少なくとも一つ以上を含むことができる。
【０１９２】
以下、各ステップを具体的に説明する。
【０１９３】
先に、顧客情報の獲得ステップＳ４を説明する。
【０１９４】
診断装置１０は、顧客の識別情報の入力を受けることができる。
【０１９５】
顧客の識別情報は、顧客の名前、性別、生年月日、連絡先、アイディー、パスワードの少なくとも一つを含むことができる。
【０１９６】
顧客の識別情報が入力されると、診断装置１０は、既に保存された顧客情報のうち入力された識別情報に対応する顧客情報があるか否かを判断することができる。
【０１９７】
本発明の多様な実施例において、診断装置１０は、少なくとも一つの識別情報にそれぞれ対応する（または識別情報を含む）少なくとも一つの顧客情報を予め保存することができる。
【０１９８】
診断装置１０は、既に保存された少なくとも一つの顧客情報のうち、入力された識別情報に対応するまたは入力された識別情報を含む顧客情報があるか否かを検索することができる。
【０１９９】
識別情報に対応する顧客情報が存在する場合、診断装置１０は、判断された顧客情報を獲得することができる。
【０２００】
多様な実施例において、カスタマイズ化粧品の顧客情報管理装置（図示せず）が別に運営される場合、診断装置１０は、顧客情報管理装置に入力された識別情報を伝送し、顧客管理装置から識別情報に対応する顧客情報を受信することができる。顧客情報管理装置は、診断装置１０と同じ売場内に隣接するように具備されるか、または遠隔地に用意され得る。
【０２０１】
識別情報に対応する顧客情報が存在しない場合、診断装置１０は、顧客情報の入力を受けることができる。
【０２０２】
診断装置１０は、顧客情報の入力を受けるためのユーザインターフェース（ＵＩ、ＧＵＩ）を表示し、表示されたユーザインターフェースを介して入力される顧客情報を獲得することができる。診断装置１０が獲得する顧客情報は、上記で入力された識別情報を含むことができる。
【０２０３】
一実施例において、診断装置１０は、顧客に顧客情報を入力するかどうかを質疑するユーザインターフェースを表示し、ユーザインターフェースを介して入力される顧客の応答に対応して顧客情報の入力を受けることができる。一例として、診断装置１０は、顧客情報を入力するかどうかを質疑するユーザインターフェースを介して肯定応答が入力された場合に、顧客情報の入力を受けるためのユーザインターフェースを表示することができる。
【０２０４】
一実施例において、診断装置１０は、顧客に個人情報収集及び活用に関する同意可否を質疑するユーザインターフェースを表示し、ユーザインターフェースを介して入力される顧客の応答に対応して顧客情報の入力を受けることができる。一例として、診断装置１０は、個人情報の収集及び活用に関する同意可否を質疑するユーザインターフェースを介して同意応答が入力された場合に、顧客情報の入力を受けるためのユーザインターフェースを表示することができる。
【０２０５】
上記においては、識別情報入力に対応して顧客情報を獲得する例を説明したが、本発明はこれに限定されない。一例として、多様な実施例において、診断装置１０が顧客の識別情報及びそれに対応する顧客情報を保存して管理しないか、または顧客情報管理装置が別に存在しない場合、診断装置１０は、識別情報に対応する既に保存された顧客情報を確認する動作は省略され、直ちに顧客情報の入力を受信するためのユーザインターフェースを表示して顧客情報を獲得することができる。
【０２０６】
さらに、診断装置１０は、獲得された顧客情報を表示して顧客が確認できるようにするか、または獲得された顧客情報を顧客別カスタマイズ化粧品データベースに保存して管理することができる。一実施例において、顧客情報管理装置が別に具備される場合、診断装置１０は、獲得された顧客情報を顧客情報管理装置に伝送することができる。
【０２０７】
本発明の多様な実施例において、診断装置１０は、顧客情報が獲得された以後に行われる肌診断及びカスタマイズ化粧品の推薦結果を顧客情報に対応して保存することによって、顧客別カスタマイズ化粧品データベースを生成して管理することができる。
【０２０８】
次に、本発明によるカスタマイズ化粧品の購買意思の確認ステップＳ５を説明する。
【０２０９】
カスタマイズ化粧品の購買意思の確認ステップＳ５は、肌状態の診断結果を介してユーザに推奨するカスタマイズ化粧品を表示し、ユーザに表示されたカスタマイズ化粧品の購買意思を確認するステップであり得る。
【０２１０】
図６は、本発明の実施例によるカスタマイズ化粧品の購買意思確認ステップで表示する画面の例示図である。
【０２１１】
一実施例によると、肌管理サーバー２０が装置１０から肌状態の診断結果を受信してカスタマイズ化粧品を推奨することができる。この場合、肌管理サーバー２０の通信部２１は、推奨するカスタマイズ化粧品の情報を診断装置１０に伝送することができる。診断装置１０は、肌管理サーバー２０からカスタマイズ化粧品の情報を受信し、表示部１８は、受信されたカスタマイズ化粧品の情報を表示することができる。
【０２１２】
他の実施例によると、診断装置１０は、肌状態の診断結果に基づいてカスタマイズ化粧品を推奨し、カスタマイズ化粧品に関する情報を表示部１８に表示することができる。
【０２１３】
図６に示されたように、診断装置１０の表示部１８は、カスタマイズ化粧品の情報を表示することができる。カスタマイズ化粧品の情報は、化粧品の色相情報、使用感情報、カバー力情報及び效能情報を含むことができる。図６に表示されたカスタマイズ化粧品の情報を表示する方法は、例示的なことであって、これに制限されないことが妥当である。
【０２１４】
診断装置１０の入力部１１は、カスタマイズ化粧品の情報を表示する間に確認アイコン７０１または修正アイコン７０２を選択する命令を受信することができる。
【０２１５】
診断装置１０の入力部１１が確認アイコン７０１を選択する命令を受信すると、通信部１８は、表示中のカスタマイズ化粧品の情報を製造装置３０に伝送することができる。一方に、診断装置１０の入力部１１が修正アイコン７０２を選択する命令を受信すると、表示部１８は、カスタマイズ化粧品の修正画面を表示することができる。
【０２１６】
次に、本発明によるカスタマイズ化粧品の修正ステップＳ６を説明する。
【０２１７】
カスタマイズ化粧品の修正ステップＳ６は、推薦されたカスタマイズ化粧品の一部または全部をユーザ入力を介して修正するステップを意味することができる。
【０２１８】
診断装置１０の表示部１８は、図６に示された修正アイコン７０２を選択する命令を受信すると、カスタマイズ化粧品を修正するためのカスタマイズ化粧品の修正画面を表示することができる。
【０２１９】
図７は、本発明の実施例によるカスタマイズ化粧品の修正画面の例示図である。
【０２２０】
図７に示されたように、カスタマイズ化粧品の修正画面は、カスタマイズ化粧品の情報と共にカスタマイズ化粧品の情報を変更するための修正バー７０を含むことができる。ユーザは、入力部１１を介して修正バー７０の位置を移動させる命令を受信することができる。表示部１８は、修正バー７０の位置を移動させる命令に従って修正バー７０の位置を変更して表示することができる。
【０２２１】
カスタマイズ化粧品の修正画面は、確認アイコン８０１とカスタマイズ化粧品の修正を取り消すキャンセルアイコン８０２をさらに含むことができる。
【０２２２】
診断装置１０の入力部１１は、確認アイコン８０１を選択する命令を受信すると、製造装置３０に修正されたカスタマイズ化粧品の情報を伝送し、入力部１１は、キャンセルアイコン８０２を選択する命令を受信すると、変更情報を削除して図６に示されたような画面を再表示することができる。
【０２２３】
次に、本発明によるカスタマイズ化粧品のビッグデータ構築ステップＳ７を説明する。
【０２２４】
肌管理サーバー２０は、カスタマイズ化粧品の提供システムのデータを蓄積したカスタマイズ化粧品データベース（ＤＢ、Ｄａｔａｂａｓｅ）を含むことができる。
【０２２５】
本発明によるカスタマイズ化粧品ＤＢ２４は、肌状態の診断結果と、肌状態の診断結果に基づいたカスタマイズ化粧品の情報と、カスタマイズ化粧品の修正がある場合、修正情報をマッピングした少なくとも一つ以上のカスタマイズ化粧品データを保存することができる。
【０２２６】
肌管理サーバー２０の制御部２３は、新しいカスタマイズ化粧品データが受信されると、カスタマイズ化粧品ＤＢ２４に追加させることができる。すなわち、肌管理サーバー２０は、カスタマイズ化粧品データをカスタマイズ化粧品ＤＢ２４に収集して、カスタマイズ化粧品データを保存し、アップデートするなどの管理ができる。
【０２２７】
肌管理サーバー２０の制御部２３は、保存部２２に保存されたデータとカスタマイズ化粧品ＤＢ２４に保存されたデータを共に考慮して、ユーザに適切な化粧品を推奨することができる。
【０２２８】
したがって、肌管理サーバー２０の制御部２３は、カスタマイズ化粧品を推奨した以後、カスタマイズ化粧品データをカスタマイズ化粧品ＤＢ２４に追加するか否かを診断装置１０を介してユーザに確認することができる。
【０２２９】
図８は、本発明の実施例によるカスタマイズ化粧品のビッグデータ構築ステップで表示する例示画面である。
【０２３０】
図８に示されたように、診断装置１０の表示部１８は、肌状態とカスタマイズ化粧品の情報を含むカスタマイズ化粧品データを保存するか否かを確認するウィンドウ９００を表示することができる。このとき、表示部１８は、保存される肌状態とカスタマイズ化粧品の情報をさらに表示することができる。
【０２３１】
ユーザは、肌状態とカスタマイズ化粧品の情報を確認し、カスタマイズ化粧品ＤＢ２４にカスタマイズ化粧品データの保存可否を判断することができる。
【０２３２】
診断装置１０の入力部１１は、保存アイコン９０１を選択する命令を受信すると、肌状態とカスタマイズ化粧品の情報をマッピングしたカスタマイズ化粧品データをカスタマイズ化粧品ＤＢ２４に保存することができる。一方、入力部１１は、キャンセルアイコン９０２を選択する命令を受信すると、肌状態とカスタマイズ化粧品の情報を削除することができる。
【０２３３】
しかし、図８に表示されたカスタマイズ化粧品データの保存可否を表示する画面は、例示を挙げたものに過ぎないので、これに制限されないことが妥当である。
【０２３４】
他の実施例によると、診断装置１０の表示部１８は、カスタマイズ化粧品の提供サービスの利用時、個人情報同意可否を確認するウィンドウ（図示せず）を表示することができる。診断装置１０の入力部１１は、個人情報同意を選択する命令または個人情報非洞意の命令（個人情報同意を選択しない命令）を受信することができる。診断装置１０の制御部１９は、個人情報同意を選択する命令を受信した場合、肌状態とカスタマイズ化粧品の情報をマッピングしたカスタマイズ化粧品データをカスタマイズ化粧品ＤＢ２４に保存することができる。すなわち、診断装置１０の制御部１９は、個人情報同意を選択する命令を受信した場合、図８に示されたような画面を表示せず、肌状態とカスタマイズ化粧品の情報をマッピングしたカスタマイズ化粧品データをカスタマイズ化粧品ＤＢ２４に保存することができる。この場合、一回の個人情報同意を介してカスタマイズ化粧品を推薦するたびに、図８に示されたような画面を表示しなくても良いという利点がある。
【０２３５】
このように、本発明によるカスタマイズ化粧品提供システムがカスタマイズ化粧品のビッグデータ構築ステップＳ７を含むと、蓄積されたデータを利用してユーザの肌状態により適切な化粧品を推奨することができるという利点と、化粧品の流行、ユーザの選好度などを容易に把握することができるという利点などがある。
【０２３６】
次に、本発明によるメイクアップの推薦ステップＳ８を説明する。
【０２３７】
肌管理サーバー２０は、メイクアップ画像とメイクアップ画像に使用された化粧品種類を含むメイクアップデータベース（ＤＢ、Ｄａｔａｂａｓｅ）を含むことができる。
【０２３８】
本発明によるメイクアップＤＢ２５は、メイクアップ画像と、メイクアップ画像に使用された化粧品種類をマッピングした少なくとも一つ以上のメイクアップデータを保存することができる。メイクアップデータは、メイクアップ画像と、メイクアップ画像に使用された化粧品種類外に肌状態、メイクアップ点数などをさらに含むことができる。
【０２３９】
肌管理サーバー２０の制御部２３は、肌状態の診断結果またはカスタマイズ化粧品に基づいてメイクアップＤＢ２５から保存されたいずれか一つのメイクアップ画像を抽出してユーザに推奨することができる。
【０２４０】
図９は、本発明の実施例によるメイクアップの推薦ステップで表示する画面の例示図である。
【０２４１】
肌管理サーバー２０の制御部２３は、肌状態の診断結果及びカスタマイズ化粧品の少なくとも一つ以上に基づいてメイクアップＤＢ２５からいずれか一つのメイクアップ画像を抽出することができる。例えば、制御部２３は、カスタマイズ化粧品が使用されたメイクアップ画像を抽出することができる。肌管理サーバー２０の通信部２１は、抽出されたメイクアップ画像を診断装置１０に伝送することができる。
【０２４２】
診断装置１０は、肌管理サーバー２０から受信されたメイクアップ画像１０００と、メイクアップ画像に使用された化粧品９１を含むメイクアップ推薦画面を表示することができる。メイクアップ画像１０００に使用された化粧品には、カスタマイズ化粧品の推薦ステップＳ２で推奨する化粧品が含まれるか、または含まれないこともある。
【０２４３】
診断装置１０の入力部１１は、メイクアップ推薦画面に表示された化粧品９１の一部または全部を選択する命令を受信することができる。診断装置１０の入力部１１は、購買アイコン１００１を選択する命令を受信すると、選択された化粧品の情報を購買装置３０に伝送することができる。診断装置１０の入力部１１は、キャンセルアイコン１００２を選択する命令を受信すると、選択された化粧品の情報を削除することができる。
【０２４４】
このように、本発明によるカスタマイズ化粧品提供システムがメイクアップの推薦ステップＳ８を含めば、ユーザに適切なカスタマイズ化粧品を推奨することができると共に、ユーザにとってカスタマイズ化粧品を使用したメイクアップ画像を予め見ることができるので、メイクアップ製品を購買するとき予想される效果を予め見ることができるという利点がある。
【０２４５】
次に、本発明の実施例によるカスタマイズ化粧品の提供ステップＳ３を説明する。
【０２４６】
本発明によるカスタマイズ化粧品の提供ステップは、製造装置３０がカスタマイズ化粧品の推薦ステップＳ２を介して推薦されたカスタマイズ化粧品を提供するステップを意味することができる。ここで、カスタマイズ化粧品の提供は、化粧品材料の配合比によって製造した化粧品の提供と、既に製作された常用化粧品の提供を含むことができる。
【０２４７】
先に、製造装置３０が化粧品材料の配合比によってカスタマイズ化粧品を製造する方法を説明する。
【０２４８】
診断装置１０または肌管理サーバー２０は、カスタマイズ化粧品の情報を製造装置３０に伝送することができる。
【０２４９】
製造装置３０の通信部（図示せず）は、肌管理サーバー２０からカスタマイズ化粧品の製造に必要な化粧品材料の配合比を受信すると、製造装置は、受信された化粧品材料の配合比に基づいて化粧品を製造することができる。
【０２５０】
以下、本発明の多様な実施例による製造装置３０がカスタマイズ化粧品を製造する方法を説明する。
【０２５１】
本発明の第１実施例による化粧品製造方法は、カートリッジ交替型化粧品製造装置を利用することであって、次の通りである。
【０２５２】
図１０ないし図１１は、本発明の実施例によるカートリッジ交替型化粧品製造装置を説明するための図である。具体的に、図１０は、カートリッジ交替型化粧品製造装置１００の圧縮部材１３０が上昇された状態を示す断面図であり、図１１は、カートリッジ交替型化粧品製造装置１００の圧縮部材１３０が下降された状態を示す断面図である。
【０２５３】
カスタマイズ化粧品提供システムの製造装置３０は、カートリッジ交替型化粧品製造装置１００を含むことができる。
【０２５４】
本発明の実施例によるカートリッジ交替型化粧品製造装置１００は、本体１１０、カートリッジ支持台１２０、カートリッジ１２１、圧縮部材１３０、モーター１４０、センサー１５０、化粧品容器１６０及び本体支持台１７０を含むことができる。しかし、これは例示的なものであって、上で列挙した構成要素のうち一部が省略されるか、または他の構成要素がさらに含まれることもある。
【０２５５】
本体１１０は、カートリッジ支持台１２０及びモーター１４０それぞれと連結されて、カートリッジ支持台１２０及びモーター１４０を装着させることができる。
【０２５６】
カートリッジ交替型化粧品製造装置１００が動作する間に、カートリッジ支持台１２０とモーター１４０は動くことができ、本体１１０は、カートリッジ支持台１２０とモーター１４０の動きによってカートリッジ交替型化粧品製造装置１００が搖れることを防止することができる。
【０２５７】
カートリッジ支持台１２０は、複数のカートリッジ１２１を収容することができる。カートリッジ支持台１２０には、垂直方向に貫通されてカートリッジ１２１を収容する複数の貫通ホール１２２が形成され得る。
【０２５８】
図１０に示された円型画像は貫通ホール１２２それぞれにカートリッジ１２１が挿入された様子を垂直方向から見た様子を示す。
【０２５９】
カートリッジ支持台１２０は、上側カートリッジ支持台１２０ａと下側カートリッジ支持台１２０ｂに区分され得、上側カートリッジ支持台１２０ａに形成された貫通ホール１２２は、下側カートリッジ支持台１２０ｂに形成された貫通ホール１２２より大きいことがある。
【０２６０】
カートリッジ支持台１２０は、時計方向または反時計方向に回転することができる。
【０２６１】
または、化粧品容器１６０を支持する本体支持台１７０が時計方向または反時計方向に回転することができる。
【０２６２】
本体支持台１７０は、センサー１５０をさらに含むことができ、この場合、センサー１５０と化粧品容器１６０は、本体支持台１７０と共に回転することができる。
【０２６３】
カートリッジ１２１は、化粧品材料を収容することができる。特に、複数のカートリッジ１２１は、それぞれ互いに異なる化粧品材料を収容することができる。カートリッジ１２１は、カートリッジ支持台１２０に装着され得る。カートリッジ１２１は、カートリッジ支持台１２０に形成された貫通ホール１２２に挿入されるか、または分離され得る。例えば、カートリッジ１２１に含まれた化粧品材料がすべて消費されると、空のカートリッジ１２１は、カートリッジ支持台１２０から分離されて新しいカートリッジ１２１が挿入され得る。または、カートリッジ１２１に含まれた化粧品材料がすべて消費されると、カートリッジ１２１には化粧品材料が補充され得る。化粧品材料の補充は、カートリッジ１２１がカートリッジ支持台１２０に装着された状態または分離された状態で両方とも可能である。
【０２６４】
カートリッジ１２１には、材料注入孔１２１ａとカートリッジ蓋１２１ｂが形成され得る。材料注入孔１２１ａの水平方向の断面の大きさは、カートリッジ蓋１２１ｂの水平方向の断面の大きさより小さいことがある。
【０２６５】
カートリッジ蓋１２１ｂは、カートリッジ１２１内部に収容された化粧品材料を保護することができる。
【０２６６】
カートリッジ蓋１２１ｂには、圧縮部材１３０の圧力を加える面が形成され得る。圧縮部材１３０がカートリッジ蓋１２１ｂに圧力を加えると、カートリッジ蓋１２１ｂはカートリッジ１２１内部に挿入され得る。圧縮部材１３０がカートリッジ１２１の内部に挿入されてカートリッジ１２１に含まれた化粧品材料を圧縮して、カートリッジ１２１の外部に排出させることができる。圧縮部材１３０が化粧品材料を下側方向に押すと、カートリッジ１２１に含まれた化粧品材料は材料注入孔１２１ａを通過して化粧品容器１６０に注入され得る。具体的に、図１０に示されたように圧縮部材１３０が上側に位置している途中、図１１に示されたように圧縮部材１３０が下方へ下降されると、カートリッジ１２１に収容された化粧品材料が化粧品容器１６０に収容され得る。
【０２６７】
カートリッジ支持台１２０が回転するにことよって、化粧品容器１６０の上側に位置するカートリッジ１２１は変更され得る。したがって、カートリッジ支持台１２０が回転しながら化粧品材料を変更して化粧品容器１６０に注入することができる。
【０２６８】
圧縮部材１３０は、モーター１４０に装着され得る。モーター１４０には下方に突出したラック１４１が形成され得、圧縮部材１３０はラックに噛合されて昇降することができる。
【０２６９】
モーター１４０は、カートリッジ支持台１２０の上側に装着されて、圧縮部材１３０を昇降させることができる。モーター１４０は、化粧品材料の配合比に基づいて圧縮部材１３０を下降させることができる。具体的に例を挙げると、化粧品材料の配合比が（化粧品材料Ａ）：（化粧品材料Ｂ）＝７：３の場合、化粧品材料Ａを含んだカートリッジ１２１に対する圧縮部材１３０の下降長さと化粧品材料Ｂを含んだカートリッジ１２１に対する圧縮部材１３０の下降長さの割合は７：３であり得る。すなわち、モーター１４０は、化粧品材料の配合比に合わせて圧縮部材１３０を下降させて化粧品材料を化粧品容器１６０に注入させることができる。
【０２７０】
このような圧縮部材１３０の下降距離は、制御部（図示せず）によって設定され得る。制御部（図示せず）が受信された化粧品材料の配合比に基づいて圧縮部材１３０の下降距離を制御することができる。
【０２７１】
または、圧縮部材１３０の下降距離は、センサー１５０によって設定されることもある。
【０２７２】
センサー１５０は、化粧品容器１６０の重さを測定することができる。例えば、センサー１５０は、ロードセル方式の電子秤であり得る。
【０２７３】
センサー１５０は、化粧品容器１６０の重さを測定して、化粧品容器１６０に注入される化粧品材料の重さを測定することができる。制御部（図示せず）は、センサー１５０を介して測定される化粧品材料の重さを利用して圧縮部材１３０の昇降を制御することができる。
【０２７４】
一方、カートリッジ１２１は、エアレスポンプ容器の形状に形成され得る。カートリッジ１２１がエアレスポンプ容器の場合、ポンピングを介して化粧品容器１６０に化粧品材料が注入され得る。
【０２７５】
化粧品容器１６０は、カートリッジ１２１から注入される化粧品材料を収容することができる。
【０２７６】
化粧品容器１６０は、化粧品材料の配合比によって注入される化粧品材料が収容されて、化粧品材料が混合され得る。
【０２７７】
カートリッジ交替型化粧品製造装置１００は、ミキシング装置（図示せず）をさらに含むことができる。ミキシング装置（図示せず）は、化粧品容器１６０に収容された化粧品材料が均一にまざるように駆動することができる。
【０２７８】
一方、カートリッジ交替型化粧品製造装置１００は、図１０ないし図１１に示されたものと異なって、材料注入孔１２１ａが側面方向に位置するように形成され得る。すなわち、モーター１４０は、圧縮部材１３０を左右方向に移動させて、カートリッジ１２１に含まれた化粧品材料は、側面方向に排出されて化粧品容器１６０に収容され得る。
【０２７９】
このように、本発明の実施例によるカートリッジ交替型化粧品製造装置１００を利用すると、カスタマイズ化粧品を容易に製造することができるという利点がある。また、カートリッジ１２１が随時に交替されるため、汚染可能性を低めることができるという利点がある。
【０２８０】
本発明の第２実施例による化粧品製造方法は、ノズル型化粧品混合装置を利用することであって、次の通りである。
【０２８１】
カスタマイズ化粧品提供システムの製造装置３０は、ノズル型化粧品混合装置２００を含むことができる。
【０２８２】
図１２は、本発明の実施例によるノズル型化粧品混合装置を説明するための図である。
【０２８３】
ノズル型化粧品混合装置２００は、本体２１０、キャニスター２２０、配管２３０、ポンプ２４０、ニードルノズル２５０及び化粧品容器２６０を含むことができる。しかし、これは例示的なことであって、上で列挙した構成要素の一部が省略されるか、または他の構成要素がさらに含まれ得る。
【０２８４】
本体２１０には、キャニスター２２０、ポンプ２４０、ニードルノズル２５０が装着され得る。
【０２８５】
キャニスター２２０は、化粧品材料を含むことができる。ノズル型化粧品混合装置２００は、複数のキャニスター２２０を含むことができ、複数のキャニスター２２０それぞれは、互いに異なる化粧品材料を含むことができる。
【０２８６】
複数のキャニスター２２０それぞれは、配管２３０と連結され得る。
【０２８７】
配管２３０は、複数のキャニスター２２０それぞれとポンプ２４０それぞれとを連結することができる。キャニスター２２０に含まれた化粧品材料は、配管２３０に沿ってポンプ２４０に移動され得る。
【０２８８】
ポンプ２４０が動作すると、耐圧が発生し、耐圧によってキャニスター２２０に含まれた化粧品材料は、配管２３０に沿ってポンプ２４０方向に移動することができる。
【０２８９】
ポンプ２４０に移動された化粧品材料は、ニードルノズル２５０によって化粧品容器２６０に注入され得る。
【０２９０】
一方、ノズル型化粧品混合装置２００は、ミキシング装置（図示せず）をさらに含むことができる。ノズル型化粧品混合装置２００は、ミキシング装置（図示せず）によって化粧品容器２６０に収容された化粧品材料が均一に混ざるように駆動することができる。
【０２９１】
このように、本発明の実施例によるノズル型化粧品混合装置２００を利用すれば、ノズル型化粧品混合装置自体の動きによって搖れないので、安定的に化粧品を製造することができるという利点がある。
【０２９２】
前述した各実施例は例示的なことであって、製造装置３０は、前述した装置を除いた多様な化粧品材料を混合して化粧品を製造することができる他の装置を含むことができる。
【０２９３】
次に、カスタマイズ化粧品の提供ステップＳ３でカスタマイズ化粧品をユーザに伝達する方法を説明する。
【０２９４】
次に、図１３は、本発明の実施例によるカスタマイズ化粧品提供システムでカスタマイズ化粧品を伝達する方法を説明するためのフローチャートである。
【０２９５】
診断装置１０は、肌状態を診断することができる（Ｓ１１）。
【０２９６】
本発明において、診断装置１０は、化粧品販売所に具備された専門肌診断装置であるか、または個人用移動端末機であり得る。
【０２９７】
本発明において、化粧品販売所は、化粧品販売売場、皮膚科、エステティックショップ、訪問販売店、オンラインモールなどの化粧品の販売が可能な場所はすべて含まれ得る。
【０２９８】
診断装置１０または肌管理サーバー２０は、肌状態の診断結果に基づいてカスタマイズ化粧品を推奨することができる（Ｓ１３）。
【０２９９】
診断装置１０または肌管理サーバー２０は、カスタマイズ化粧品の購買意思を確認することができる（Ｓ１５）。
【０３００】
診断装置１０または肌管理サーバー２０は、前述した図６または図７に示されたような画面を介してカスタマイズ化粧品の購買意思を確認することができるが、これは例示的なことに過ぎない。
【０３０１】
ユーザは、診断装置１０を介してカスタマイズ化粧品の購買意思を入力することができ、診断装置１０は、ユーザの購買意思の入力信号を肌管理サーバー２０に伝送することができる。
【０３０２】
診断装置１０または肌管理サーバー２０は、ユーザのカスタマイズ化粧品の購買意思を確認し（Ｓ１７）、ユーザがカスタマイズ化粧品の購買意思があれば、肌状態を診断した診断装置１０が化粧品販売所に具備された診断装置であるか否かを判断することができる（Ｓ１９）。
【０３０３】
診断装置１０または肌管理サーバー２０は、肌状態を診断した装置が化粧品販売所に具備された診断装置の場合、化粧品販売所でカスタマイズ化粧品を伝達するように制御することができる（Ｓ２１）。
【０３０４】
すなわち、診断装置１０または肌管理サーバー２０は、カスタマイズ化粧品が化粧品材料の配合比によって製作される化粧品であれば、化粧品販売所に具備された製造装置３０に化粧品材料の配合比を伝送することができる。製造装置３０が受信された化粧品材料の配合比によって化粧品を製造することができる。これによって、ユーザは、化粧品販売所でカスタマイズ化粧品を提供されることができる。
【０３０５】
このように、カスタマイズ化粧品が既に製作されて販売されている常用化粧品の場合、ユーザは化粧品販売所で該当製品を提供され得る。
【０３０６】
一方、診断装置１０または肌管理サーバー２０は、肌状態を診断した診断装置１０が化粧品販売所に具備された診断装置ではない場合、化粧品販売所の訪問意思を確認することができる（Ｓ２３）。
【０３０７】
肌管理サーバー２０は、診断装置１０を介して化粧品販売所の訪問意思を判断することができる。
【０３０８】
肌管理サーバー２０は、ユーザの化粧品販売所訪問意思があると判断されると、化粧品販売所の位置及び訪問時間を診断装置１０に伝送することができる（Ｓ２５）。
【０３０９】
図１４は、本発明の実施例による化粧品販売所の訪問意思を判断するための例示画面である。
【０３１０】
診断装置１０の表示部１８は、図１４に示されたようなカスタマイズ化粧品の伝達方法を選択する画面を表示することができる。
【０３１１】
診断装置１０の入力部１１は、直接入力項目１５１０または近くの位置推薦項目１５２０のいずれか一つを選択し、確認アイコン１５０１を選択する命令を受信することができる。
【０３１２】
ユーザは、直接入力項目１５１０を介して望む化粧品販売所を入力して化粧品を提供され得る。
【０３１３】
または、ユーザは、近くの位置にある化粧品販売所で化粧品を提供され得る。
【０３１４】
この場合、診断装置１０または肌管理サーバー２０は、ユーザ入力を介して受信された化粧品販売所の位置またはＧＰＳ基盤のユーザの現在位置から最も近くに位置した化粧品販売所の位置でカスタマイズ化粧品が提供されるように制御することができる。
【０３１５】
診断装置１０は、近くに位置した化粧品販売所を推奨した場合、推奨する化粧品販売所の位置と共に化粧品販売所を変更するアイコン１５２１をさらに表示することができる。診断装置１０は、化粧品販売所を変更するアイコン１５２１を選択する命令を受信した場合、変更された化粧品販売所を肌管理サーバー２０に伝送し、変更された化粧品販売所でカスタマイズ化粧品が提供され得る。
【０３１６】
また、診断装置１０は、カスタマイズ化粧品の受領時間を選択する命令を受信することができる。図１４に示されたように、診断装置１０は、カスタマイズ化粧品の受領時間を選択する項目１５３０を表示して、カスタマイズ化粧品の受領時間を選択する命令を受信することができる。
【０３１７】
肌管理サーバー２０は、カスタマイズ化粧品が提供される化粧品販売所の位置と時間を診断装置１０に伝送することができる。ユーザは、診断装置１０に受信された化粧品販売所の訪問位置及び訪問時間を参照して、カスタマイズ化粧品が提供される化粧品販売所を訪問してカスタマイズ化粧品を伝達され得る。
【０３１８】
肌管理サーバー２０は、診断装置１０に伝送した化粧品販売所の位置でカスタマイズ化粧品が提供されるように制御することができる。詳しい内容は、Ｓ２１で説明 したことと類似するので省略する。
【０３１９】
一方、診断装置１０の入力部１１は、図１４に示されたような画面でキャンセルアイコン１５０２を選択する命令を受信することができる。
【０３２０】
この場合、肌管理サーバー２０は、ユーザの化粧品販売所訪問意思がないことと判断し、配送住所情報を診断装置１０から受信することができる（Ｓ２９）。
【０３２１】
図１５は、本発明の実施例によるカスタマイズ化粧品の配送方法を説明するための例示画面である。
【０３２２】
診断装置１０は、図１５に示されたような画面を介してカスタマイズ化粧品の配送住所を受信することができる。
【０３２３】
診断装置１０の入力部１１が住所入力及び確認アイコン１６０１を選択する命令を受信すると、肌管理サーバー２０または製造装置３０に化粧品が配送される住所情報を伝送することができる。
【０３２４】
このように、ユーザは、診断装置１０を介して化粧品が配送される住所情報を肌管理サーバー２０または製造装置３０に伝送することができる。
【０３２５】
肌管理サーバー２０または製造装置３０は、カスタマイズ化粧品が配送住所に伝送されるように制御することができる（Ｓ３１）。
【０３２６】
一方、Ｓ１７でユーザがカスタマイズ化粧品を購買する意思がない場合、肌管理サーバー２０は、カスタマイズ化粧品の情報を保存部２２に保存することができる（Ｓ３３）。
【０３２７】
肌管理サーバー２０がカスタマイズ化粧品の情報を保存して、後で肌状態を再診断することなく、容易にカスタマイズ化粧品を提供することができるという利点がある。
【０３２８】
また、肌管理サーバー２０が以前に推奨した化粧品と次に推奨した化粧品を比較して、ユーザの肌状態の改善效果を認識することができるという利点がある。
【０３２９】
前述した本発明は、プログラムが記録された媒体にコンピューターが判読可能なコードとして具現することが可能である。コンピューターの判読可能な媒体は、コンピューターシステムによって判読され得るデータが保存されるすべての種類の記録装置を含む。コンピューターが判読可能な媒体の例としては、ＨＤＤ（Ｈａｒｄ  Ｄｉｓｋ  Ｄｒｉｖｅ）、ＳＳＤ（Ｓｏｌｉｄ  Ｓｔａｔｅ  Ｄｉｓｋ）、ＳＤＤ（Ｓｉｌｉｃｏｎ  Ｄｉｓｋ  Ｄｒｉｖｅ）、ＲＯＭ、ＲＡＭ、ＣＤ−ＲＯＭ、磁気テープ、フロッピーディスク、光データ保存装置などがある。また、前記コンピューターは、診断装置の制御部、肌管理サーバーの制御部または製造装置の制御部を含むこともできる。したがって、前記の詳細な説明はすべての面で制限的に解釈されてはならず、例示的であるものとして考慮されなければならない。本発明の範囲は添付された請求項の合理的解釈によって決定されなければならず、本発明の等価的範囲内でのすべての変更は本発明の範囲に含まれる。
【符号の説明】
【０３３０】
１０  診断装置
１１  入力部
１２  撮影部
１３  測定部
１４  発行部
１５  分析部
１６  通信部
１７  保存部
１８  表示部
１９  制御部
２０  肌管理サーバー
２１  通信部
２２  保存部
２３  制御部
２４  カスタマイズ化粧品ＤＢ
２５  メイクアップＤＢ
３０  製造装置
４０  配合比項目
９１  化粧品
１００  カートリッジ交替型化粧品製造装置
１１０  本体
１２０  カートリッジ支持台
１２１  カートリッジ
１２２  貫通ホール
１３０  圧縮部材
１４０  モーター
１４１  ラック
１５０  センサー
１６０  化粧品容器
１７０  本体支持台
２００  ノズル型化粧品混合装置
２１０  本体
２２０  キャニスター
２３０  配管
２４０  ポンプ
２５０  ニードルノズル
２６０  化粧品容器
７０１  確認アイコン
７０２  修正アイコン
８０１  確認アイコン
８０２  キャンセルアイコン
９００  ウィンドウ
９０１  保存アイコン
９０２  キャンセルアイコン
１０００  メイクアップ画像
１００１  購買アイコン
１００２  キャンセルアイコン
１５０１  確認アイコン
１５０２  キャンセルアイコン
１５１０  直接入力項目
１５２０  位置推薦項目
１５２１  アイコン
１５３０  項目
１６０１  確認アイコン
【図１】
2020500611.tif 000003
【図２】
2020500611.tif 000004
【図３】
2020500611.tif 000005
【図４】
2020500611.tif 000006
【図５】
2020500611.tif 000007
【図６】
2020500611.tif 000008
【図７】
2020500611.tif 000009
【図８】
2020500611.tif 000010
【図９】
2020500611.tif 000011
【図１０】
2020500611.tif 000012
【図１１】
2020500611.tif 000013
【図１２】
2020500611.tif 000014
【図１３】
2020500611.tif 000015
【図１４】
2020500611.tif 000016
【図１５】
2020500611.tif 000017
【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
カスタマイズ化粧品提供システムにおいて、
肌状態を診断し、前記肌状態の診断結果に基づいてカスタマイズ化粧品を推奨し、前記推奨したカスタマイズ化粧品に関する情報を製造装置に伝送する診断装置；及び
前記診断装置から前記カスタマイズ化粧品に関する情報を受信し、前記受信されたカスタマイズ化粧品に関する情報に基づいて前記カスタマイズ化粧品を提供する製造装置を含む、
カスタマイズ化粧品提供システム。
【請求項２】
前記カスタマイズ化粧品は、少なくとも一つ以上の化粧品材料が所定の配合比で製作される化粧品及び既に製作された常用化粧品のうち少なくとも一つを含む、請求項１に記載のカスタマイズ化粧品提供システム。
【請求項３】
前記推奨したカスタマイズ化粧品が前記少なくとも一つ以上の化粧品材料が所定の配合比で製作される化粧品の場合、前記カスタマイズ化粧品に関する情報は化粧品材料の成分と配合比を含み、前記製造装置は、前記カスタマイズ化粧品に関する情報に含まれた化粧品材料の成分と配合比に基づいて前記カスタマイズ化粧品を製造する、請求項２に記載のカスタマイズ化粧品提供システム。
【請求項４】
前記診断装置は、肌状態を診断することができる移動端末機及び化粧品販売所に具備された肌状態の診断装置のうち少なくとも一つを含む、請求項１に記載のカスタマイズ化粧品提供システム。
【請求項５】
前記診断装置が前記移動端末機である場合、前記カスタマイズ化粧品は、前記移動端末機の現在位置から最も隣接した位置にある化粧品販売所で提供される、請求項４に記載のカスタマイズ化粧品提供システム。
【請求項６】
前記診断装置が前記移動端末機である場合、前記診断装置は、位置を入力する入力信号を受信し、前記カスタマイズ化粧品は、前記入力信号によって入力された位置から最も隣接した位置にある化粧品販売所で提供される、請求項４に記載のカスタマイズ化粧品提供システム。
【請求項７】
前記診断装置は、化粧品の受領場所の変更命令を受信し、前記カスタマイズ化粧品は、前記命令に従って変更された化粧品の受領場所で提供される、請求項５に記載のカスタマイズ化粧品提供システム。
【請求項８】
前記診断装置が前記移動端末機である場合、前記診断装置は、配送住所を入力する入力信号を受信し、前記カスタマイズ化粧品は、前記入力信号によって入力された配送住所で提供される、請求項４に記載のカスタマイズ化粧品提供システム。
【請求項９】
前記診断装置が前記化粧品販売所に具備された肌状態の診断装置の場合、前記カスタマイズ化粧品は、前記肌状態を診断した化粧品販売所で提供される、請求項４に記載のカスタマイズ化粧品提供システム。
【請求項１０】
前記診断装置は、前記推奨したカスタマイズ化粧品に対応するユーザの購買意思を判断し、前記カスタマイズ化粧品に対応するユーザの購買意思があると判断されると、前記カスタマイズ化粧品に関する情報を前記製造装置に伝送する、請求項１に記載のカスタマイズ化粧品提供システム。
【請求項１１】
前記診断装置は、前記推奨したカスタマイズ化粧品の一部または全部を変更する修正信号を受信する、請求項１に記載のカスタマイズ化粧品提供システム。
【請求項１２】
前記診断装置は、
肌状態を測定する測定部；
前記測定された肌状態を診断する分析部；
前記肌状態の診断結果に基づいてカスタマイズ化粧品を推奨する制御部及び
前記推奨したカスタマイズ化粧品に関する情報を製造装置に伝送する通信部を含む、
請求項１に記載のカスタマイズ化粧品提供システム。
【請求項１３】
前記肌状態は、肌の色相、肌内の水分量、肌内の油分量、弾力度、しわ、色素沈着可否、毛穴量、角質、肌のきめ、敏感度、肌タイプ、トラブルの少なくとも一つ以上を含む、請求項１に記載のカスタマイズ化粧品提供システム。
【請求項１４】
前記診断装置は、
前記肌状態と関連した質問内容を表示する表示部；及び
前記表示された質問内容に対応する応答信号を受信する入力部をさらに含み、
前記分析部は、前記質問内容及び前記応答信号に基づいて前記肌状態を診断する、請求項１２に記載のカスタマイズ化粧品提供システム。
【請求項１５】
前記分析部は、前記質問内容及び前記応答信号と前記測定された肌状態を共に考慮して前記肌状態を分析する、請求項１４に記載のカスタマイズ化粧品提供システム。
【請求項１６】
肌管理サーバーをさらに含み、
前記肌管理サーバーは、
第１肌状態の診断結果及び前記第１肌状態の診断結果に対応する第１カスタマイズ化粧品に関する情報を受信する通信部；
前記第１肌状態の診断結果と前記第１カスタマイズ化粧品に関する情報をマッピングして保存する保存部；及び
第２肌状態の診断結果を受信すると、前記保存された第１肌状態の診断結果と前記第１カスタマイズ化粧品に関する情報に基づいて第２カスタマイズ化粧品に関する情報を獲得する制御部を含む、
請求項１に記載のカスタマイズ化粧品提供システム。
【請求項１７】
前記製造装置は、
化粧品材料を収容する少なくとも一つ以上のカートリッジ；
前記カートリッジを収容するカートリッジ支持台；
前記カートリッジ支持台の一側に装着されて、圧縮部材を移動させるモーター；
前記モーターによって移動し、前記カートリッジ内部に挿入されると、前記カートリッジ内部に収容された前記化粧品を排出させる圧縮部材を含む、
請求項１に記載のカスタマイズ化粧品提供システム。
【請求項１８】
前記カートリッジ支持台は、時計方向または反時計方向に回転する、請求項１７に記載のカスタマイズ化粧品提供システム。
【請求項１９】
前記カートリッジは、前記圧縮部材の圧力を加える面が形成されたカートリッジ蓋と；
前記カートリッジ蓋に圧力が加わることによって前記カートリッジ内部に収容された化粧品が排出される材料注入孔を含む、請求項１７に記載のカスタマイズ化粧品提供システム。
【請求項２０】
前記製造装置は、
前記排出される化粧品を収容する化粧品容器の重さを測定するセンサーをさらに含む、請求項１７に記載のカスタマイズ化粧品提供システム。
【国際調査報告】
2020500611.tif 000018
2020500611.tif 000019
2020500611.tif 000020
2020500611.tif 000021